(57)【特許請求の範囲】
【請求項１】
オブジェクトを操作可能なデバイスにおいて、複数のオブジェクトを操作する方法であって、前記デバイスが、
第１の操作に応じて、１又は複数のオブジェクトを選択するステップであって、当該選択するステップは繰り返されうる、前記選択するステップと、
第２の操作に応じて、オブジェクトを操作するために使用されるグループ・オブジェクトを表示するステップと、
第３の操作に応じて、前記選択されたオブジェクトを前記グループ・オブジェクト内に表示するステップと、
第４の操作に応じて、前記グループ・オブジェクトが第１の移動先オブジェクトの所定の範囲内に移動したときに、当該第１の移動先オブジェクトに関連付けられた属性又は当該第１の移動先オブジェクトに保管されているオブジェクトに関連付けられた属性に従って、前記グループ・オブジェクト内に表示されたオブジェクトのうちの特定のオブジェクトを前記第１の移動先オブジェクト内にコピー若しくは移動し又は前記第１の移動先オブジェクトで開くステップと
を実行することを含み、
前記特定のオブジェクトをコピー若しくは移動し又は開くステップが、
前記第１の移動先オブジェクトに関連付けられた属性又は前記第１の移動先オブジェクトに保管されているオブジェクトに関連付けられた属性を読み取るステップと、
前記グループ・オブジェクト内に表示されたオブジェクトのうち、前記読み取られた属性と同じ属性を有するオブジェクトを前記第１の移動先オブジェクト内にコピー若しくは移動し又は前記第１の移動先オブジェクトで開くステップと
を含む、
前記方法。
【請求項２】
オブジェクトを操作可能なデバイスにおいて、複数のオブジェクトを操作する方法であって、前記デバイスが、
第１の操作に応じて、１又は複数のオブジェクトを選択するステップであって、当該選択するステップは繰り返されうる、前記選択するステップと、
第２の操作に応じて、オブジェクトを操作するために使用されるグループ・オブジェクトを表示するステップと、
第３の操作に応じて、前記選択されたオブジェクトを前記グループ・オブジェクト内に表示するステップと、
第４の操作に応じて、前記グループ・オブジェクトが第１の移動先オブジェクトの所定の範囲内に移動したときに、当該第１の移動先オブジェクトに関連付けられた属性又は当該第１の移動先オブジェクトに保管されているオブジェクトに関連付けられた属性に従って、前記グループ・オブジェクト内に表示されたオブジェクトのうちの特定のオブジェクトを前記第１の移動先オブジェクト内にコピー若しくは移動し又は前記第１の移動先オブジェクトで開くステップと
を実行することを含み、
前記特定のオブジェクトをコピー若しくは移動し又は開くステップが、
前記第１の移動先オブジェクトに関連付けられた属性又は前記第１の移動先オブジェクトに保管されているオブジェクトに関連付けられた属性が複数ある場合に、当該第１の移動先オブジェクト中にあるオブジェクトの属性毎の存在割合又はオブジェクト数を計算するステップと、
前記グループ・オブジェクト内に表示されたオブジェクトのうち、前記計算された存在割合又はオブジェクト数が最大である属性を有するオブジェクトを前記第１の移動先オブジェクト内にコピー若しくは移動又は前記第１の移動先オブジェクトで開くステップと
を含む、
前記方法。
【請求項３】
前記デバイスが、
第５の操作に応じて、前記グループ・オブジェクトが第２の移動先オブジェクトの所定の範囲内に移動したときに、当該第２の移動先オブジェクトに関連付けられた属性又は当該第２の移動先オブジェクトに保管されているオブジェクトに関連付けられた属性に従って、前記グループ・オブジェクト内に表示されたオブジェクトのうちの特定のオブジェクトを選択し、当該選択された特定のオブジェクトを前記第２の移動先オブジェクト内にコピー若しくは移動し又は前記第２の移動先オブジェクトで開くステップ
をさらに実行することを含む、請求項１又は２に記載の方法。
【請求項４】
前記デバイスが、
前記グループ・オブジェクトを縮小表示又は消去するステップ
をさらに実行することを含む、請求項１又は２に記載の方法。
【請求項５】
複数のオブジェクトを選択する前記ステップの前に、グループ・オブジェクトを表示する前記ステップが実行される、請求項１又は２に記載の方法。
【請求項６】
前記デバイスが、タッチ入力可能な装置、近接センサ、視線センサ、脳波センサ、又は、クリック及び／又はドラッグ及び／又はマウスジェスチャ操作により入力可能な装置を備えたコンピュータ、スマートフォン、ミュージック・プレイヤー、フォト・フレーム、ゲーム機、タブレット端末、又は情報掲示板である、請求項１又は２に記載の方法。
【請求項７】
前記オブジェクトが、フォルダ、ファイル、又はショートカットである、請求項１又は２に記載の方法。
【請求項８】
前記第１の移動先オブジェクトに関連付けられた属性が、フォルダ名、又はフォルダの種類である、請求項１又は２に記載の方法。
【請求項９】
前記第１の移動先オブジェクトに保管されているオブジェクトに関連付けられた属性が、フォルダ、ファイル若しくはショートカットに関連付けられた情報、アプリケーションに関連付けられた情報、音楽、画像若しくは動画データに関連付けられた情報、電子書籍に関連付けられた情報、又は、リンクに関連付けられた情報である、請求項１又は２に記載の方法。
【請求項１０】
オブジェクトを操作可能なデバイスにおいて、複数のオブジェクトを操作する方法であって、前記デバイスが、
第１の操作に応じて、１又は複数のオブジェクトを選択するステップであって、当該選択するステップは繰り返されうる、前記選択するステップと、
第２の操作に応じて、オブジェクトを操作するために使用されるグループ・オブジェクトを表示するステップと、
第３の操作に応じて、前記選択されたオブジェクトを前記グループ・オブジェクト内に表示するステップと、
第４の操作に応じて、前記グループ・オブジェクトが第１の移動先オブジェクトの所定の範囲内に移動したときに、当該第１の移動先オブジェクトに関連付けられた属性又は当該第１の移動先オブジェクトに保管されているオブジェクトに関連付けられた属性に従って、前記グループ・オブジェクト内に表示されたオブジェクトを並び替えて表示し、又は前記グループ・オブジェクト内に表示されたオブジェクトをグループ化して表示するステップと
を実行することを含む、前記方法。
【請求項１１】
前記デバイスが、
第５の操作に応じて、前記グループ・オブジェクトが第２の移動先オブジェクトの所定の範囲内に移動したときに、当該第２の移動先オブジェクトに関連付けられた属性又は当該第２の移動先オブジェクトに保管されているオブジェクトに関連付けられた属性に従って、前記グループ・オブジェクト内に表示されたオブジェクトを並び替えて表示し、又は前記グループ・オブジェクト内に表示されたオブジェクトをグループ化して表示するステップと
をさらに実行することを含む、請求項１０に記載の方法。
【請求項１２】
前記並び替えるステップが、
前記第１の移動先オブジェクトに関連付けられた属性又は前記第１の移動先オブジェクトに保管されているオブジェクトに関連付けられた属性を読み取るステップと、
前記グループ・オブジェクト内に表示されたオブジェクトのうち、前記読み取られた属性と同じ属性を有するオブジェクトを、前記グループ・オブジェクト内において前記第１の移動先オブジェクトに近い位置で表示するステップと
を含む、請求項１０に記載の方法。
【請求項１３】
前記並び替えるステップが、
前記第１の移動先オブジェクトに関連付けられた属性又は前記第１の移動先オブジェクトに保管されているオブジェクトに関連付けられた属性が複数ある場合に、当該第１の移動先オブジェクト中にあるオブジェクトの属性毎の存在割合又はオブジェクト数を計算するステップと、
前記グループ・オブジェクト内に表示されたオブジェクトのうち、前記計算された存在割合又はオブジェクト数が最大である属性を有するオブジェクトを、前記グループ・オブジェクト内において前記第１の移動先オブジェクトに近い位置で表示するステップと
を含む、請求項１０に記載の方法。
【請求項１４】
前記デバイスが、前記並び替えて表示し又はグループ化して表示するステップの後に、
第６の操作に応じて、前記グループ・オブジェクト内にあるオブジェクトと前記第１の移動先オブジェクトとが重なる範囲にあり且つ前記グループ・オブジェクト内にあるオブジェクトを、前記第１の移動先オブジェクト内にコピー若しくは移動し又は前記第１の移動先オブジェクトで開くステップ
をさらに実行することを含む、請求項１０に記載の方法。
【請求項１５】
複数のオブジェクトを選択する前記ステップの前に、グループ・オブジェクトを表示する前記ステップが実行される、請求項１０に記載の方法。
【請求項１６】
オブジェクトを操作可能なデバイスにおいて、複数のオブジェクトを操作する方法であって、前記デバイスが、
第１の操作に応じて、１又は複数のオブジェクトを選択するステップであって、当該選択するステップは繰り返されうる、前記選択するステップと、
第２の操作に応じて、オブジェクトを操作するために使用されるグループ・オブジェクトを表示するステップと、
第３の操作に応じて、前記選択されたオブジェクトを前記グループ・オブジェクト内に表示するステップと、
前記グループ・オブジェクトが第１の移動先候補オブジェクト及び第２の移動先候補オブジェクトの所定の範囲内にある場合に、当該第１の移動先候補オブジェクトに関連付けられた属性又は当該第１の移動先候補オブジェクトに保管されているオブジェクトに関連付けられた属性と同一又は類似の属性を有するオブジェクトを前記グループ・オブジェクト内において前記第１の移動先候補オブジェクトに近い位置で表示し、及び、当該第２の移動先候補オブジェクトに関連付けられた属性又は当該第２の移動先候補オブジェクトに保管されているオブジェクトに関連付けられた属性と同一又は類似の属性を有するオブジェクトを前記グループ・オブジェクト内において前記第２の移動先候補オブジェクトに近い位置で表示するステップと
を実行することを含む、前記方法。
【請求項１７】
前記デバイスが、第４の操作に応じて、
前記グループ・オブジェクト内において前記第１の移動先候補オブジェクトに近い位置で表示されているオブジェクトを当該第１の移動先候補オブジェクト内にコピー若しくは移動し又は前記第１の移動先候補オブジェクトで開くステップ、又は、
前記グループ・オブジェクト内において前記第２の移動先候補オブジェクトに近い位置で表示されているオブジェクトを当該第２の移動先候補オブジェクト内にコピー若しくは移動し又は前記第２の移動先候補オブジェクトで開くステップ
をさらに実行することを含む、請求項１６に記載の方法。
【請求項１８】
オブジェクトを操作可能なデバイスに、請求項１〜１７のいずれか一項に記載の方法の各ステップを実行させるプログラム。
【請求項１９】
オブジェクトを操作可能なデバイスであって、
プロセッサと、
前記プロセッサに接続されたメモリと
を備えており、
前記プロセッサが、請求項１〜１７のいずれか一項に記載の方法の各ステップを実行させるプログラムを前記メモリに読み出して、前記オブジェクトを操作する、前記デバイス。
【発明の詳細な説明】
【技術分野】
【０００１】
本発明は、複数のオブジェクト、例えばフォルダ、ファイル又はショートカットを操作するためのグラフィカル・ユーザ・インタフェースに関し、特には、複数のオブジェクトをまとめて操作するためのグラフィカル支援ユーザ・インタフェースの技法に関する。
【背景技術】
【０００２】
ファイルの整理はユーザにとって厄介な作業である。例えば、デスクトップ上において、文書ファイル、ピクチャ・ファイル、ビデオ・ファイル、及びミュージック・ファイルなどの様々なファイルが置かれている場合がある。このような場合、例えば、文書ファイル、ピクチャ・ファイル、ビデオ・ファイル、及びミュージック・ファイルをそれぞれ選択して、所定のフォルダ、例えば、「ドキュメント」、「ピクチャ」、「ビデオ」、又は「ミュージック」の各フォルダにファイルを移動する必要がある（下記図３Ｂを参照）。この際、複数のファイルの選択を同時に行うことは可能である。しかし、ユーザは、その移動先であるフォルダを一つしか指定できない。従って、複数の移動先にファイルを移動する場合、移動先毎にファイルを選択する操作が必要である。
【０００３】
また、近年、タッチ操作によりオブジェクトを直感的に操作できるデバイス、例えば、タッチ・スクリーン（タッチ・パネルともいう）を備えたコンピュータ、スマートフォン、ミュージック・プレイヤ、フォト・フレーム若しくはゲーム機を使用する機会が増えている。これらのタッチ画面上では、指の動きでファイル操作をする必要がある。
【０００４】
下記特許文献１の発明は、表示装置と表示装置をユーザインタフェースとする情報処理を実行する情報処理装置に関する（請求項１、段落００１０）。当該情報処理装置は、前記表示装置にオブジェクトを表示させるオブジェクト表示手段と、前記表示装置にグループオブジェクトを表示させるグループオブジェクト表示手段とを備え、前記操作装置で前記オブジェクトを操作して、そのオブジェクトを前記グループオブジェクト内に加えることと、前記操作装置で前記オブジェクトを操作して、そのオブジェクトを前記グループオブジェクト内から除くことと、前記操作装置で前記グループオブジェクトを操作して、そのグループオブジェクト内に位置する前記オブジェクトをまとめて操作することを可能にする情報処理を実行する（段落００１０）。この具体例としては、グループオブジェクト内に位置するオブジェクトの表示特性をまとめて変化させることが挙げられること、例えばグループオブジェクト内に位置するオブジェクトをまとめて移動したりリサイズしたりするのである（段落００５２）。
【０００５】
下記特許文献２の発明は、表示画面上でオブジェクトの選択領域を制御する選択領域制御装置に関する（請求項１、段落０００９）。
【先行技術文献】
【特許文献】
【０００６】
【特許文献１】特開２００４−１１０７３４号公報
【特許文献２】特開２００４−２８０５３２号公報
【特許文献３】米国特許出願公開第２００８／０２９７４８７号明細書
【特許文献４】特開２００９−５４１０１号公報
【発明の概要】
【発明が解決しようとする課題】
【０００７】
本発明は、複数のオブジェクトの操作を効率良く行うことを目的とする。
【課題を解決するための手段】
【０００８】
本発明は、オブジェクトを操作可能なデバイスにおいて、複数のオブジェクトを操作する方法を提供する。本発明の実施態様において、当該方法は、下記の３つの独立した実施態様に分けられうる。
【０００９】
本発明に従う実施態様の１つ目は、上記方法が、
第１Ａの操作に応じて、１又は複数のオブジェクトを選択するステップ（ここで当該選択するステップは繰り返されてもよい）と、
第２Ａの操作に応じて、オブジェクトを操作するために使用されるグループ・オブジェクトを表示するステップと、
第３Ａの操作に応じて、上記選択されたオブジェクトを上記グループ・オブジェクト内に表示するステップと、
第４Ａの操作に応じて、上記グループ・オブジェクトが第１の移動先オブジェクトの所定の範囲（例えば、第１の移動先オブジェクト上又はその近傍）に移動したときに、当該第１の移動先オブジェクトに関連付けられた属性又は当該第１の移動先オブジェクトに保管されているオブジェクトに関連付けられた属性に従って、上記グループ・オブジェクト内に表示されたオブジェクトのうちの特定のオブジェクトを上記第１の移動先オブジェクト内にコピー若しくは移動し又は前記第１の移動先オブジェクトで開くステップと
を含む。
【００１０】
本発明に従う実施態様の２つ目は、上記方法が、
第１Ｂの操作に応じて、１又は複数のオブジェクトを選択するステップ（ここで当該選択するステップは繰り返されてもよい）と、
第２Ｂの操作に応じて、オブジェクトを操作するために使用されるグループ・オブジェクトを表示するステップと、
第３Ｂの操作に応じて、上記選択されたオブジェクトを上記グループ・オブジェクト内に表示するステップと、
第４Ｂの操作に応じて、上記グループ・オブジェクトが第１の移動先オブジェクトの所定の範囲（例えば、第１の移動先オブジェクト上又はその近傍）に移動したときに、当該第１の移動先オブジェクトに関連付けられた属性又は当該第１の移動先オブジェクトに保管されているオブジェクトに関連付けられた属性に従って、上記グループ・オブジェクト内に表示されたオブジェクトを並び替えて表示し、又は上記グループ・オブジェクト内に表示されたオブジェクトをグループ化して表示するステップと
を含む。
【００１１】
本発明に従う実施態様の３つ目は、上記方法が、
第１Ｃの操作に応じて、１又は複数のオブジェクトを選択するステップ（ここで当該選択するステップは繰り返されてもよい）と、
第２Ｃの操作に応じて、オブジェクトを操作するために使用されるグループ・オブジェクトを表示するステップと、
第３Ｃの操作に応じて、上記選択されたオブジェクトを上記グループ・オブジェクト内に表示するステップと、
上記グループ・オブジェクトが第１の移動先候補オブジェクト及び第２の移動先候補オブジェクトの所定の範囲内にある場合に、当該第１の移動先候補オブジェクトに関連付けられた属性又は当該第１の移動先候補オブジェクトに保管されているオブジェクトに関連付けられた属性と同一又は類似の属性を有するオブジェクトを上記グループ・オブジェクト内において上記第１の移動先候補オブジェクトに近い位置で表示し、及び、当該第２の移動先候補オブジェクトに関連付けられた属性又は当該第２の移動先候補オブジェクトに保管されているオブジェクトに関連付けられた属性と同一又は類似の属性を有するオブジェクトを上記グループ・オブジェクト内において上記第２の移動先候補オブジェクトに近い位置で表示するステップと
を含む。
【００１２】
また、本発明は、オブジェクトを操作可能なデバイスに、上記方法の各ステップを実行させるプログラムを提供する。
【００１３】
また、本発明は、オブジェクトを操作可能なデバイス複数のオブジェクトを操作するためのデバイスを提供する。
当該デバイスは、
第１の操作に応じて、１又は複数のオブジェクトを選択する選択部と、
第２の操作に応じて、オブジェクトを操作するために使用されるグループ・オブジェクトを表示するグループ・オブジェクト表示部と
グループ・オブジェクト処理部と
を備えており、
グループ・オブジェクト処理部は、第３の操作に応じて、前記選択された複数のオブジェクトを前記グループ・オブジェクト内に表示する。
【００１４】
本発明の１つの実施態様として、グループ・オブジェクト処理部は、第４の操作に応じて、上記グループ・オブジェクトが第１の移動先オブジェクトの所定の範囲（例えば、第１の移動先オブジェクト上又はその近傍）内に移動したときに、当該第１の移動先オブジェクトに関連付けられた属性又は当該第１の移動先オブジェクトに保管されているオブジェクトに関連付けられた属性に従って、上記グループ・オブジェクト内に表示されたオブジェクトのうちの特定のオブジェクトを上記第１の移動先オブジェクト内にコピー若しくは移動し又は前記第１の移動先オブジェクトで開く。
【００１５】
本発明の他の実施態様として、グループ・オブジェクト処理部は、グループ・オブジェクトが第１の移動先オブジェクトの所定の範囲（例えば、第１の移動先オブジェクト上又はその近傍）内に移動したときに、当該第１の移動先オブジェクトに関連付けられた属性又は当該第１の移動先オブジェクトに保管されているオブジェクトに関連付けられた属性に従って、上記グループ・オブジェクト内に表示されたオブジェクトを並び替えて表示し、又は上記グループ・オブジェクト内に表示されたオブジェクトをグループ化して表示する。
【００１６】
本発明の他の実施態様として、グループ・オブジェクト処理部は、上記グループ・オブジェクトが第１の移動先候補オブジェクト及び第２の移動先候補オブジェクトの所定の範囲内にある場合に、当該第１の移動先候補オブジェクトに関連付けられた属性又は当該第１の移動先候補オブジェクトに保管されているオブジェクトに関連付けられた属性と同一又は類似の属性を有するオブジェクトを上記グループ・オブジェクト内において上記第１の移動先候補オブジェクトに近い位置で表示し、及び、当該第２の移動先候補オブジェクトに関連付けられた属性又は当該第２の移動先候補オブジェクトに保管されているオブジェクトに関連付けられた属性と同一又は類似の属性を有するオブジェクトを上記グループ・オブジェクト内において上記第２の移動先候補オブジェクトに近い位置で表示する。
【００１７】
上記の発明の概要は、本発明の必要な特徴の全てを列挙したものではなく、これらの構成要素のコンビネーション又はサブコンビネーションもまた、発明となりうることに留意すべきである。
【００１８】
本発明の実施形態において使用されるコンピュータの各ハードウェア構成要素を、複数のマシンと組み合わせ、それらに機能を配分し実施する等の種々の変更は当業者によって容易に想定されうることは勿論である。それらの変更は、当然に本発明の思想に包含される概念である。ただし、これらの構成要素は例示であり、そのすべての構成要素が本発明の必須構成要素となるわけではない。
【００１９】
また、本発明は、ハードウェア、ソフトウェア、又はハードウェア及びソフトウェアの組み合わせとして実現可能である。ハードウェアとソフトウェアの組み合わせによる実行において、所定のプログラムを有するデータ処理システムにおける実行が典型的な例として挙げられる。かかる場合、該所定プログラムが該データ処理システムにロードされ実行されることにより、該プログラムは、オブジェクトを操作可能なデバイスを制御し、本発明にかかる処理を実行させる。このプログラムは、任意の言語・コード・表記によって表現可能な命令群から構成される。そのような命令群は、システムが特定の機能を直接、又は１．他の言語・コード・表記への変換、２．他の媒体への複製、のいずれか一方若しくは双方が行われた後に、実行することを可能にするものである。
【００２０】
また、本発明は、そのようなプログラム自体のみならず、プログラムを記録した媒体もその範囲に含むものである。本発明の機能を実行するためのプログラムは、フレキシブル・ディスク、ＭＯ、ＣＤ−ＲＯＭ、ＤＶＤ、ハードディスク装置、ＲＯＭ、ＭＲＡＭ、ＲＡＭ等の任意のコンピュータ読み取り可能な記録媒体に格納することができる。かかるプログラムは、記録媒体への格納のために、通信回線で接続する他のデータ処理システムからダウンロードしたり、他の記録媒体から複製したりすることができる。また、かかるプログラムは、圧縮し、又は複数に分割して、単一又は複数の記録媒体に格納することもできる。また、様々な形態で、本発明を実施するプログラム製品を提供することも勿論可能であることにも留意されたい。
【発明の効果】
【００２１】
本発明の実施態様に従うと、複数のオブジェクトを複数の移動先に移動する際の操作が容易になり、オブジェクトの操作性が向上する。
【図面の簡単な説明】
【００２２】
【図１】本発明の実施形態におけるコンピュータ・ハードウェアの基本的なブロック図を示す。
【図２】本発明の実施態様において使用される、オブジェクトを操作可能なデバイスの機能ブロック図を示す。
【図３Ａ】従来技術である、複数の移動先に複数のファイルを移動する際の操作例を示す図である。
【図３Ｂ】従来技術である、複数の移動先に複数のファイルを移動する際の操作例を示す図である。
【図３Ｃ】従来技術である、複数の移動先に複数のファイルを移動する際の操作例を示す図である。
【図４Ａ】本発明の実施態様で使用するグループ・オブジェクトを活性化する操作例を示す図である。
【図４Ｂ】本発明の実施態様で使用するグループ・オブジェクトを活性化する操作例を示す図である。
【図４Ｃ】本発明の実施態様で使用するグループ・オブジェクトを活性化する操作例を示す図である。
【図４Ｄ】本発明の実施態様で使用するグループ・オブジェクトを活性化する操作例を示す図である。
【図４Ｅ】本発明の実施態様で使用するグループ・オブジェクトを活性化する操作例を示す図である。
【図４Ｆ】本発明の実施態様で使用するグループ・オブジェクトを活性化する操作例を示す図である。
【図４Ｇ】本発明の実施態様で使用するグループ・オブジェクトを活性化する操作例を示す図である。
【図５Ａ】本発明の実施態様で使用するグループ・オブジェクト内に、操作するファイルを移動する操作例を示す図である。
【図５Ｂ】本発明の実施態様で使用するグループ・オブジェクト内に、操作するファイルを移動する操作例を示す図である。
【図５Ｃ】本発明の実施態様で使用するグループ・オブジェクト内に、操作するファイルを移動する操作例を示す図である。
【図５Ｄ】本発明の実施態様で使用するグループ・オブジェクト内に、操作するファイルを移動する操作例を示す図である。
【図５Ｅ】本発明の実施態様で使用するグループ・オブジェクト内に、操作するファイルを移動する操作例を示す図である。
【図５Ｆ】本発明の実施態様で使用するグループ・オブジェクト内に、操作するファイルを移動する操作例を示す図である。
【図６Ａ】本発明の実施態様で使用するグループ・オブジェクトを一時的に隠す操作を示す図である。
【図６Ｂ】本発明の実施態様で使用するグループ・オブジェクトを一時的に隠す操作例を示す図である。
【図６Ｃ】本発明の実施態様で使用するグループ・オブジェクトを消去する操作例を示す図である。
【図６Ｄ】本発明の実施態様で使用するグループ・オブジェクトを消去する操作例を示す図である。
【図７Ａ】本発明の実施態様で使用するグループ・オブジェクトを一時的に隠した後、再び活性化する操作例を示す図である。
【図７Ｂ】本発明の実施態様で使用するグループ・オブジェクトを一時的に隠した後、再び活性化する操作例を示す図である。
【図７Ｃ】本発明の実施態様で使用するグループ・オブジェクトを一時的に隠した後、再び活性化する操作例を示す図である。
【図７Ｄ】本発明の実施態様で使用するグループ・オブジェクトを一時的に隠した後、再び活性化する操作例を示す図である。
【図８Ａ】本発明の実施態様である、グループ・オブジェクト内に表示されたオブジェクトのうちの特定のオブジェクトを複数の移動先オブジェクト内に移動する操作例を示す図である。
【図８Ｂ】本発明の実施態様である、グループ・オブジェクト内に表示されたオブジェクトのうちの特定のオブジェクトを複数の移動先オブジェクト内に移動する操作例を示す図である。
【図８Ｃ】本発明の実施態様である、グループ・オブジェクト内に表示されたオブジェクトのうちの特定のオブジェクトを複数の移動先オブジェクト内に移動する操作例を示す図である。
【図８Ｄ】本発明の実施態様である、グループ・オブジェクト内に表示されたオブジェクトのうちの特定のオブジェクトを複数の移動先オブジェクト内に移動する操作例を示す図である。
【図８Ｅ】本発明の実施態様である、グループ・オブジェクト内に表示されたオブジェクトのうちの特定のオブジェクトを複数の移動先オブジェクト内に移動する操作例を示す図である。
【図８Ｆ】本発明の実施態様である、グループ・オブジェクト内に表示されたオブジェクトのうちの特定のオブジェクトを複数の移動先オブジェクト内に移動する操作例を示す図である。
【図８Ｇ】本発明の実施態様である、グループ・オブジェクト内に表示されたオブジェクトのうちの特定のオブジェクトを複数の移動先オブジェクト内に移動する操作例を示す図である。
【図８Ｈ】本発明の実施態様である、グループ・オブジェクト内に表示されたオブジェクトのうちの特定のオブジェクトを複数の移動先オブジェクト内に移動する操作例を示す図である。
【図９Ａ】本発明の実施態様である、グループ・オブジェクトが移動先オブジェクト（データ・フォルダ）の所定の範囲内に移動した場合に、当該データ・フォルダ内に保管されているファイルの拡張子に基づいて分類されたグループのうち、その存在割合が最大であるグループに属する属性を有するオブジェクトを、グループ・オブジェクトから当該移動先オブジェクト内に移動する操作例を示す。
【図９Ｂ】本発明の実施態様である、グループ・オブジェクトが移動先オブジェクト（データ・フォルダ）の所定の範囲内に移動した場合に、当該データ・フォルダ内に保管されているファイルの拡張子に基づいて分類されたグループのうち、その存在割合が最大であるグループに属する属性を有するオブジェクトを、グループ・オブジェクトから当該移動先オブジェクト内に移動する操作例を示す。
【図９Ｃ】本発明の実施態様である、グループ・オブジェクトが移動先オブジェクト（データ・フォルダ）の所定の範囲内に移動した場合に、当該データ・フォルダ内に保管されているファイルの拡張子に基づいて分類されたグループのうち、その存在割合が最大であるグループに属する属性を有するオブジェクトを、グループ・オブジェクトから当該移動先オブジェクト内に移動する操作例を示す。
【図１０Ａ】本発明の実施態様である、グループ・オブジェクトが移動先オブジェクトの所定の範囲内に移動した場合に、グループ・オブジェクト内のオブジェクトを並び替える操作例を示す図である。
【図１０Ｂ】本発明の実施態様である、グループ・オブジェクトが移動先オブジェクトの所定の範囲内に移動した場合に、グループ・オブジェクト内のオブジェクトを並び替える操作例を示す図である。
【図１０Ｃ】本発明の実施態様である、グループ・オブジェクトが移動先オブジェクトの所定の範囲内に移動した場合に、グループ・オブジェクト内のオブジェクトを並び替える操作例を示す図である。
【図１１Ａ】本発明の実施態様である、グループ・オブジェクトが複数の移動先候補オブジェクトの所定の範囲内にある場合に、グループ・オブジェクト内のオブジェクトを並び替える操作例を示す図である。
【図１１Ｂ】本発明の実施態様である、グループ・オブジェクトが複数の移動先候補オブジェクトの所定の範囲内にある場合に、グループ・オブジェクト内のオブジェクトを並び替える操作例を示す図である。
【図１１Ｃ】本発明の実施態様である、グループ・オブジェクトが複数の移動先候補オブジェクトの所定の範囲内にある場合に、グループ・オブジェクト内のオブジェクトを並び替える操作例を示す図である。
【図１２Ａ】本発明の実施態様である、グループ・オブジェクト内のオブジェクトが並び替えられた後に、特定のオブジェクトを移動先オブジェクトに移動する操作例を示す図である。
【図１２Ｂ】本発明の実施態様である、グループ・オブジェクト内のオブジェクトが並び替えられた後に、特定のオブジェクトを移動先オブジェクトに移動する操作例を示す図である。
【図１２Ｃ】本発明の実施態様である、グループ・オブジェクト内のオブジェクトが並び替えられた後に、特定のオブジェクトを移動先オブジェクトに移動する操作例を示す図である。
【図１２Ｄ】本発明の実施態様である、グループ・オブジェクト内のオブジェクトが並び替えられた後に、特定のオブジェクトを移動先オブジェクトに移動する操作例を示す図である。
【図１２Ｅ】本発明の実施態様である、グループ・オブジェクト内のオブジェクトが並び替えられた後に、特定のオブジェクトを移動先オブジェクトに移動する操作例を示す図である。
【図１３】本発明の実施態様である、グループ・オブジェクトの操作モード及び潜在モードの各処理を示すフローチャートである。
【図１４】本発明の実施態様である、グループ・オブジェクト内のオブジェクトの操作処理を示すフローチャートである。
【図１５】本発明の実施態様に従い、アプリケーションの対応形式が異なるファイルを優先的に振り分ける処理を示す図である。
【図１６】本発明の実施態様に従い、複数のブックマーク・ファイルのうちのリンク切れしたファイルをゴミ箱に捨てる処理を示す図である。
【図１７】本発明の実施態様に従い、複数のブックマーク・ファイルのうちの所定の文字列を有するファイルをタブ・ブラウザで開く処理を示す図である。
【図１８】本発明の実施態様に従い、複数のミュージック・ファイルのうちの所定のアルバム名を有するファイルをミュージック・プレイヤで開く処理を示す図である。
【発明を実施するための形態】
【００２３】
本発明の実施形態を、以下に図面に従って説明する。以下の図を通して、特に断らない限り、同一の符号は同一の対象を指す。本発明の実施形態は、本発明の好適な態様を説明するためのものであり、本発明の範囲をここで示すものに限定する意図はないことを理解されたい。
【００２４】
図１は、本発明の実施形態におけるコンピュータ・ハードウェアの基本的なブロック図を示す。
コンピュータ（１０１）は、ＣＰＵ（１０２）とメイン・メモリ（１０３）とを備えており、これらはバス（１０４）に接続されている。ＣＰＵ（１０２）は好ましくは、３２ビット又は６４ビットのアーキテクチャに基づくものであり、例えば、インテル社のＣｏｒｅ  ｉ（商標）シリーズ、Ｃｏｒｅ  ２（商標）シリーズ、Ａｔｏｍ（商標）シリーズ、Ｘｅｏｎ（商標）シリーズ、Ｐｅｎｔｉｕｍ（登録商標）シリーズ、Ｃｅｌｅｒｏｎ（登録商標）シリーズ、ＡＭＤ社のＰｈｅｎｏｍ（商標）シリーズ、Ａｔｈｌｏｎ（商標）シリーズ、Ｔｕｒｉｏｎ（商標）シリーズ又はＳｅｍｐｒｏｎ（商標）が使用されうる。バス（１０４）には、ディスプレイ・コントローラ（１０５）を介して、ディスプレイ（１０６）、例えば液晶ディスプレイ（ＬＣＤ）が接続されうる。ディスプレイ（１０６）は、コンピュータの管理のために、通信回線を介してネットワークに接続されたコンピュータについての情報と、そのコンピュータ上で動作中のソフトウェアについての情報を、適当なグラフィック・インタフェースで表示するために使用される。バス（１０４）にはまた、ＳＡＴＡ又はＩＤＥコントローラ（１０７）を介して、ディスク（１０８）、例えばハードディスク又はシリコン・ディスクと、ドライブ（１０９）、例えばＣＤ、ＤＶＤ又はＢＤドライブとが接続されうる。バス（１０４）にはさらに、キーボード・マウスコントローラ（１１０）又はＵＳＢバス（図示せず）を介して、キーボード（１１１）及びマウス（１１２）が接続されうる。
【００２５】
ディスク（１０８）には、オペレーティング・システム、Ｊ２ＥＥなどのＪａｖａ（登録商標）処理環境、Ｊａｖａ（登録商標）アプリケーション、Ｊａｖａ（登録商標）仮想マシン（ＶＭ）、Ｊａｖａ（登録商標）実行時（ＪＩＴ）コンパイラを提供するプログラム、その他のプログラム、及びデータが、メイン・メモリにロード可能に記憶されている。
ドライブ（１０９）は、必要に応じて、ＣＤ−ＲＯＭ、ＤＶＤ−ＲＯＭ又はＢＤからプログラムをディスク（１０８）にインストールするために使用される。
【００２６】
通信インタフェース（１１４）は、例えばイーサネット（登録商標）・プロトコルに従う。通信インタフェース（１１４）は、通信コントローラ（１１３）を介してバス（１０４）に接続され、コンピュータ（１０１）を通信回線（１１５）に物理的に接続する役割を担い、コンピュータ（１０１）のオペレーティング・システムの通信機能のＴＣＰ／ＩＰ通信プロトコルに対して、ネットワーク・インタフェース層を提供する。なお、通信回線は、有線ＬＡＮ環境、又は例えばＩＥＥＥ８０２．１１ａ／ｂ／ｇ／ｎなどの無線ＬＡＮ接続規格に基づく無線ＬＡＮ環境であってもよい。
【００２７】
図２は、本発明の実施態様において使用される、オブジェクトを操作可能なデバイス（２０１）の機能ブロック図を示す。
【００２８】
「オブジェクトを操作可能なデバイス」（以下、単に「デバイス」ともいう）とは、例えば、タッチ入力可能な装置（例えば、タッチ・スクリーン又はタッチ・パッド）、各種センサ（例えば、近接センサ、視線センサ又は脳波センサ）、マウス若しくはタッチペンなどによるクリック及び／又はドラッグ、マウス・ジェスチャ操作又はペン・フリック操作により入力可能な装置を備えたコンピュータ、スマートフォン、ミュージック・プレイヤ、フォト・フレーム、ゲーム機、タブレット端末、又は情報掲示板を包含する。また、デバイスは、オブジェクトを選択可能なデバイスでもある。近接センサは、ヒトの例えば腕、手、指、又は脚の動きを検知して、デバイス上でのオブジェクトの選択を可能にするセンサでありうる。視線センサ（視線追尾システムともいう）は、ヒトの眼の動きを検知して、デバイス上への入力を可能にするセンサである（例えば、特許文献４を参照）。脳波センサは、ヒトの脳波又は意識を検知して、デバイス上への入力を可能にするセンサである。
【００２９】
本発明の実施態様において、「操作」は、例えば、タッチ操作、各種センサにより検知可能とされる操作、クリック及び／又はドラッグ、マウス・ジェスチャ操作、及びペン・フリック操作を包含する。以下、これらの「操作」を単に、ユーザ操作という場合がある。これらの操作の具体例は、オブジェクトの操作内容に対応付けて予め定められている。当業者は、どのような操作内容にするかを適宜設定しうる。
【００３０】
例えば下記に述べる第１及び第２の実施態様において、ユーザは、グループ・オブジェクトを移動先オブジェクトの所定の範囲に移動させて、当該グループ・オブジェクト内のオブジェクトを移動先オブジェクト内にコピー又は移動しうる。このユーザ操作は、例えば、下記の通りである。
【００３１】
１．タッチ操作、又は各種センサにより検知可能とされる操作の場合
（１）ユーザが選択するオブジェクトを指又は手で移動先オブジェクト上にドラッグすると、移動先オブジェクトに合わせた操作が行われる。すなわち、移動先オブジェクトが選択されたオブジェクトと同じディスク・ボリューム上であれば当該選択されたオブジェクトは移動先オブジェクト内に移動し、一方、移動先オブジェクトが当該選択されたオブジェクトとは異なるディスク点ボリューム上であれば当該選択されたオブジェクトは移動先オブジェクト内にコピーされる。
（２）ユーザが選択するオブジェクト上で指又は手で長押しすると、コピー又は移動の操作を選択するメニューが表示され、ユーザはコピー又は移動の選択をすることが可能である。ユーザがコピー又は移動を選択後に、当該オブジェクトを移動先オブジェクトにドラッグすると、ユーザによって選択されたコピー又は移動の操作が行われる。
（３）ユーザが選択するファイルを指又は手で移動先オブジェクトへドラッグし離すと、移動先オブジェクト上でコピー又は移動の選択をするダイアログが表示される。ユーザがコピー又は移動の選択をすると、ユーザによって選択されたコピー又は移動の操作が行われる。
【００３２】
２．クリック及び／又はドラッグ、又は各種センサにより検知可能とされる操作の場合
（１）ユーザが選択するオブジェクトを左クリックで移動先オブジェクトにドラッグすると、移動先オブジェクトに合わせた操作が行われる。すなわち、移動先オブジェクトが選択されたオブジェクトと同じディスク・ボリューム上であれば当該選択されたオブジェクトは移動先オブジェクト内に移動し、一方、移動先オブジェクトが選択されたオブジェクトと異なるディスク・ボリューム上であれば当該選択されたオブジェクトは移動先オブジェクト内にコピーされる。
（２）ユーザが選択するオブジェクト上で右クリックすると、コピー又は移動の操作を選択するメニューが表示され、ユーザはコピー又は移動の選択をすることが可能である。ユーザがコピー又は移動を選択後に、当該オブジェクトを移動先オブジェクトにドラッグすると、ユーザによって選択されたコピー又は移動の操作が行われる。
（３）ユーザが選択するファイルを右クリックで選択し、移動先オブジェクトへドラッグし離すと、移動先オブジェクト上でコピー又は移動の選択をするダイアログが表示される。ユーザがコピー又は移動の選択をすると、ユーザによって選択されたコピー又は移動の操作が行われる。
【００３３】
３．マウス・ジェスチャ又はペン・フリック操作の場合も、上記と同様の手法が適用される。
【００３４】
デバイス（２０１）は、ＣＰＵ（２０２）、メモリ（２０３）及び記憶装置（２０４）を備えている。また、デバイスは、オブジェクト及びグループ・オブジェクトを表示するための表示部（２１１）（例えば、液晶装置）を備えている。また、デバイスは、タッチ・スクリーン若しくはタッチ・パッド、又は各種センサからの信号を受信するセンサ部（２１２）を備えうる。また、デバイスは、クリック及び／又はドラッグ、マウス・ジェスチャ、ペン・フリック操作を使用して入力可能な装置（例えばマウス（１１２））を備えうる。
【００３５】
本発明の実施態様において、「オブジェクト」は、例えば、フォルダ、ファイル、及びショートカットを包含する。ファイルは、例えば、データ・ファイル、及びアプリケーション・ファイルを包含する。ショートカットは、例えば、フォルダのショートカット、ファイルのショートカット、及びアプリケーションのショートカットを包含する。オブジェクトは、表示部（２１１）上のフォルダ内で、一般的にはアイコン画像で表示されうる。
【００３６】
本発明の実施態様において、「グループ・オブジェクト」は、ユーザがオブジェクトを操作し又は処理することを支援するために使用され、ユーザによって選択されたオブジェクトを一時的にその中に保持し又は記録するための画面内にある中間トレイである。また、「グループ・オブジェクト」は、ユーザが複数のオブジェクトを一括して操作し又は処理することを可能にするために一時的に使用される。また、「グループ・オブジェクト」は、ユーザによって選択されたオブジェクトをその中にアイコンなどの形態でユーザに示しうる。
【００３７】
デバイス（２０１）は、さらに、アイコン表示部（２２１）、選択部（２２２）、グループ・オブジェクト表示部（２２３）及びグループ・オブジェクト処理部（２２４）を備えうる。
【００３８】
アイコン表示部（２２１）は、表示部（２１１）上でオブジェクトを表示する。オブジェクトは、例えばフォルダ上で例えばアイコンとして表示されうる。
【００３９】
グループ・オブジェクト表示部（２２３）は、ユーザ操作に応じて、表示部（２１１）上にグループ・オブジェクトを表示する。グループ・オブジェクトは、例えばデスクトップ上において例えば雲の形で表示されうる。雲の形は任意であり、また、雲の大きさは雲の中に表示されるアイコンの大きさによって任意に拡大又は縮小されうる。
【００４０】
グループ・オブジェクト表示部（２２３）は、ユーザ操作に応じて、グループ・オブジェクト内にオブジェクトを表示する。また、グループ・オブジェクト表示部（２２３）は、ユーザ操作に応じて又は所定時間の経過に応じて、グループ・オブジェクトを小さいアイコンとして縮小表示したり、又は表示部（２１１）から消去したりしうる。
【００４１】
選択部（２２２）は、フォルダ上のオブジェクト、及び、グループ・オブジェクト内の１又は複数のオブジェクトの選択を可能にする。
【００４２】
グループ・オブジェクト処理部（２２４）は、ユーザ操作に応じて、下記に示す第１〜第３の実施態様を実行しうる。
【００４３】
（第１の実施態様）
グループ・オブジェクト処理部（２２４）は、グループ・オブジェクトが第１の移動先オブジェクトの所定の範囲内に移動したときに、当該第１の移動先オブジェクトに関連付けられた属性又は当該第１の移動先オブジェクトに保管されているオブジェクトに関連付けられた属性に従って、グループ・オブジェクト内に表示されたオブジェクトのうちの特定のオブジェクトを第１の移動先オブジェクト内にコピー若しくは移動し又は前記第１の移動先オブジェクトで開く。また、グループ・オブジェクト処理部（２２４）は、グループ・オブジェクトが第ｎ（ｎは１より大きい整数である）の移動先オブジェクトの所定の範囲内に移動したときに、当該第ｎの移動先オブジェクトに関連付けられた属性又は当該第ｎの移動先オブジェクトに保管されているオブジェクトに関連付けられた属性に従って、前記グループ・オブジェクト内に表示されたオブジェクトのうちの特定のオブジェクトを選択し、当該選択された特定のオブジェクトを第ｎの移動先オブジェクト内にコピー若しくは移動し又は前記第１の移動先オブジェクトで開く。
【００４４】
グループ・オブジェクト内の特定のオブジェクト（例えば、フォルダ、ファイル、又はショートカット）を移動先オブジェクト(例えば、フォルダ）内にコピーすることによって、グループ・オブジェクト内及び移動先オブジェクト内のいずれにも当該特定のオブジェクトが存在することになる。
グループ・オブジェクト内の特定のオブジェクト（例えば、フォルダ、ファイル、又はショートカット）を移動先オブジェクト(例えば、フォルダ）内に移動することによって、グループ・オブジェクト内から当該特定のオブジェクトは消え去り、移動先オブジェクト内に当該特定のオブジェクトが存在することになる。グループ・オブジェクト内から当該特定のオブジェクトは消え去ることから、当該特定のオブジェクトを当該グループ・オブジェクトに移動する前の元の位置からも当該特定のオブジェクトは消え去る。
グループ・オブジェクト内の特定のオブジェクト（例えば、ファイル又はそのショートカット）を移動先オブジェクト(例えば、アプリケーション・ファイル又はそのショートカット）で開くとは、当該特定のファイルを当該移動先オブジェクトで開くことである。
【００４５】
「グループ・オブジェクトが第１又は第ｎの移動先オブジェクトの所定の範囲内に移動したとき」とは、グループ・オブジェクトを第１又は第ｎの移動先オブジェクトの近傍に移動すること、又は、グループ・オブジェクトが第１又は第ｎの移動先オブジェクトと少なくとも一部重複するようにグループ・オブジェクトを移動することをいう。
【００４６】
オブジェクトに関連付けられた属性とは、例えば、フォルダ、ファイル若しくはショートカットに関連付けられた情報；アプリケーションに関連付けられた情報；音楽、動画、画像若しくは映像データに関連付けられた情報；電子書籍に関連付けられた情報；及びリンクに関連付けられた情報を包含する。
【００４７】
フォルダ、ファイル若しくはショートカットに関連付けられた情報とは、それらの名前の一部又は全部、拡張子、種類、サイズ（容量）、作成日時、更新日時、作成者、アクセス権（例えばユーザ又はグループ）、文字コード、アプリケーションの対応形式又はバージョン、タグ及びタイトルを包含する。
【００４８】
ファイルの拡張子は、例えば以下の通りである。
文書ファイル  txt, doc, pdf, htm(html)
画像ファイル  bmp, gif, jpg(jpeg), png
音声ファイル  mp3, wav, aiff, rm(ra, ram), asf(wma)
動画ファイル  mpg(mpeg), avi, mov, rm(ra, rm), asf(wma)
圧縮ファイル  lzh, zip
分割ファイル  bat
実行ファイル  exe
【００４９】
オブジェクトがフォルダである場合、フォルダの種類は、例えば、ドキュメント、ピクチャ、ビデオ、及びミュージックを包含する。フォルダの種類には、当該フォルダに格納されうるオブジェクトの属性が関連付けられていてもよい。
【００５０】
アプリケーションに関連付けられた情報とは、例えば、アプリケーション自身の情報（例えば、会社名、製品名、バージョン、デジタル署名、価格）、アプリケーションの対応形式又はそのバージョンを包含する。アプリケーションの対応形式は、例えば以下の通りである：例えば、Ｍｉｃｒｏｓｏｆｔ（商標）Ｗｏｒｄ  ２００７バージョンでは、当該バージョンで作成したＷｏｒｄファイル（Ｗｏｒｄ２００７形式）及びそれ以前のバージョンで作成したＷｏｒｄファイル（Ｗｏｒｄ９７−２００３形式）を扱うことができる。しかし、Ｍｉｃｒｏｓｏｆｔ（商標）Ｗｏｒｄ  ２００３バージョンでは、２００７バージョンで作成したＷｏｒｄファイルをデフォルトで扱うことができない。そこで、Ｗｏｒｄ２００７形式とＷｏｒｄ９７−２００３形式とは、アプリケーションの対応形式が異なるために別のファイルとして取り扱うことができる。
【００５１】
音楽又は画像データに関連付けられた情報とは、例えば、タイトル、アーティスト名、収録アルバム名、作曲者名、作詞者名、レコード会社名、ジャンル、再生期限、発表年、聞く頻度、及び評価を包含する。
【００５２】
画像又は映像データに関連付けられた情報とは、例えば、映っている被写体（例えば、人物、動物）、撮影日、撮影場所（例えば、ＧＰＳデータ）、フィルム番号、及び記録番号を包含する。
【００５３】
電子書籍に関連付けられた情報とは、例えば、題名、出版社名、著者名、ジャンル、発行年、及び読む頻度を包含する。
【００５４】
リンクに関連付けられた情報とは、ＵＲＬリンクのドメイン名、ページのタイトル、ページの最終更新日時、及びリンク切れを包含する。
【００５５】
本発明の１つの実施態様において、上記特定のオブジェクトをコピー若しくは移動し又は開くことは、第１の移動先オブジェクトに関連付けられた属性又は第１の移動先オブジェクトに保管されているオブジェクトに関連付けられた属性を読み取ること、当該グループ・オブジェクト内に表示されたオブジェクトのうち、上記読み取られた属性と同じ属性を有するオブジェクトを当該第１の移動先オブジェクト内にコピー若しくは移動し又は当該第１の移動先オブジェクトで開くことを含む。
を含む
【００５６】
本発明の他の実施態様において、上記特定のオブジェクトをコピー若しくは移動し又は開くことは、第１の移動先オブジェクトに関連付けられた属性又は第１の移動先オブジェクトに保管されているオブジェクトに関連付けられた属性が複数ある場合に、当該第１の移動先オブジェクト中にあるオブジェクトの属性毎の存在割合又はオブジェクト数を計算すること、グループ・オブジェクト内に表示されたオブジェクトのうち、前記計算された存在割合又はオブジェクト数が最大である属性を有するオブジェクトを前記第１の移動先オブジェクト内にコピー若しくは移動し又は当該第１の移動先オブジェクトで開くことを含む。
【００５７】
（第２の実施態様）
グループ・オブジェクト処理部（２２４）は、グループ・オブジェクトが第１の移動先オブジェクトの所定の範囲内に移動したときに、当該第１の移動先オブジェクトに関連付けられた属性又は当該第１の移動先オブジェクトに保管されているオブジェクトに関連付けられた属性に従って、グループ・オブジェクト内に表示されたオブジェクトを並び替えて表示し、又はグループ・オブジェクト内に表示されたオブジェクトをグループ化して表示しうる。また、グループ・オブジェクト処理部（２２４）は、グループ・オブジェクトが第ｎ（ｎは１より大きい整数である）の移動先オブジェクトの所定の範囲内に移動したときに、当該第ｎの移動先オブジェクトに関連付けられた属性又は当該第ｎの移動先オブジェクトに保管されているオブジェクトに関連付けられた属性に従って、グループ・オブジェクト内に表示されたオブジェクトを並び替えて表示し、又はグループ・オブジェクト内に表示されたオブジェクトをグループ化して表示しうる。
【００５８】
本発明の１つの実施態様において、上記並べ替えることは、第１又はｎの移動先オブジェクトに関連付けられた属性又は第１又はｎの移動先オブジェクトに保管されているオブジェクトに関連付けられた属性を読み取ること、グループ・オブジェクト内に表示されたオブジェクトのうち、上記読み取られた属性と同じ属性を有するオブジェクトを、上記グループ・オブジェクト内において第１又はｎの移動先オブジェクトに近い位置で表示することを含む。
【００５９】
本発明の他の実施態様において、上記並べ替えることは、第１又はｎの移動先オブジェクトに関連付けられた属性又は第１又はｎの移動先オブジェクトに保管されているオブジェクトに関連付けられた属性が複数ある場合に、当該第１又はｎの移動先オブジェクト中にあるオブジェクトの属性毎の存在割合又はオブジェクト数を計算することと、グループ・オブジェクト内に表示されたオブジェクトのうち、上記計算された存在割合又はオブジェクト数が最大である属性を有するオブジェクトを、上位グループ・オブジェクト内において上記第１又はｎの移動先オブジェクトに近い位置で表示することを含む。
【００６０】
本発明の実施態様において、上記並べ替えの後に、グループ・オブジェクト処理部（２２４）は、グループ・オブジェクト内にあるオブジェクトと第１の移動先オブジェクトとが重なる範囲にあり且つグループ・オブジェクト内にあるオブジェクトを、第１の移動先オブジェクト内にコピー又は移動し又は前記第１の移動先オブジェクトで開く。
【００６１】
（第３の実施態様）
グループ・オブジェクト処理部（２２４）は、グループ・オブジェクトが第１の移動先候補オブジェクト及び第２の移動先候補オブジェクトの所定の範囲内にある場合に、当該第１の移動先候補オブジェクトに関連付けられた属性又は当該第１の移動先候補オブジェクトに保管されているオブジェクトに関連付けられた属性と同一又は類似の属性を有するオブジェクトを上記グループ・オブジェクト内において当該第１の移動先候補オブジェクトに近い位置で表示し、及び、当該第２の移動先候補オブジェクトに関連付けられた属性又は当該第２の移動先候補オブジェクトに保管されているオブジェクトに関連付けられた属性と同一又は類似の属性を有するオブジェクトを上記グループ・オブジェクト内において当該第２の移動先候補オブジェクトに近い位置で表示しうる。
【００６２】
本発明の実施態様において、グループ・オブジェクト処理部（２２４）は、上記グループ・オブジェクト内において上記第１の移動先候補オブジェクトに近い位置で表示されているオブジェクトを当該第１の移動先オブジェクト内にコピー若しくは移動し又は当該第１の移動先オブジェクトで開き、又は、上記グループ・オブジェクト内において上記第２の移動先候補オブジェクトに近い位置で表示されているオブジェクトを当該第２の移動先オブジェクト内にコピー若しくは移動し又は当該第２の移動先オブジェクトで開く。
【００６３】
図３Ａ〜図３Ｃは、従来技術である、複数の移動先に複数のファイルを移動する際の操作例を示す図である。
【００６４】
図３Ａは、オブジェクトである複数のファイル（３１１〜３２０）及びこれらのファイルの移動先でありうる複数のフォルダ（３０１〜３０４）を示す。
ファイル（３１１〜３２０）及びフォルダ（３０１〜３０４）は、デスクトップ上に表示されているものとする。
ファイル（３１１〜３１３）の各拡張子は、当該ファイルが文書ファイルであることを示す。
ファイル（３１４〜３１６）の各拡張子は、当該ファイルがピクチャ（画像）ファイルであることを示す。
ファイル（３１７〜３１８）の各拡張子は、当該ファイルがビデオ（動画）ファイルであることを示す。
ファイル（３１９〜３２０）の各拡張子は、当該ファイルがミュージック（又は音声）・ファイルであることを示す。
ドキュメント・フォルダ（３０１）は、当該フォルダ内に文書ファイルを格納しうることを示す属性又は当該フォルダ内に格納しうるファイルの拡張子に関連付けられている。
ピクチャ・フォルダ（３０２）は、当該フォルダ内にピクチャ・ファイルを格納しうることを示す属性又は当該フォルダ内に格納しうるファイルの拡張子に関連付けられている。
ビデオ・フォルダ（３０３）は、当該フォルダ内にビデオ・ファイルを格納しうることを示す属性又は当該フォルダ内に格納しうるファイルの拡張子に関連付けられている。
ミュージック・フォルダ（３０４）は、当該フォルダ内にミュージック・ファイルを格納しうることを示す属性又は当該フォルダ内に格納しうるファイルの拡張子に関連付けられている。
【００６５】
図３Ｂ及び図３Ｃは、複数のファイルを複数の移動先であるフォルダに振り分ける際の軌跡（手、指又はマウスなどの動き）を示す。
【００６６】
図３Ｂは、ユーザが移動先であるフォルダに合わせて複数のファイルを選択し、当該複数の選択されたファイルをまとめてフォルダに振り分ける場合と、ユーザが個々のファイルを選択し、当該選択された個々のファイルをフォルダに振り分ける場合を含む軌跡（手、指又はマウスなどの動き）を示す。
まず、ユーザは、文書ファイル（３１１〜３１３）を選択し（３３１）、そしてドキュメント・フォルダ（３０１）にこれら文書ファイルを移動する（３４１）。
次に、ユーザは、ピクチャ・ファイルを選択するためにピクチャ・ファイルのある場所に戻り（３４２）、ピクチャ・ファイル（３１４〜３１６）を選択し（３３２）、そしてピクチャ・フォルダ（３０２）にこれらピクチャ・ファイルを移動する（３４３）。
次に、ユーザは、ビデオ・ファイル（３１７）を選択するためにビデオ・ファイル（３１７）のある場所に戻り（３４４）、ビデオ・ファイル（３１７）を選択し、そしてビデオ・フォルダ（３０３）にファイルを移動する（３４５）。同様にして、ビデオ・ファイル（３１８）のある場所に戻り（３４６）、ビデオ・ファイル（３１８）を選択し、そしてビデオ・フォルダ（３０３）にビデオ・ファイル（３１８）を移動する（３４７）。
最後に、ユーザは、ミュージック・ファイル（３１９）を選択するためにミュージック・ファイル（３１９）のある場所に戻り（３４８）、ミュージック・ファイル（３１９）を選択し、そしてミュージック・フォルダ（３０４）にミュージック・ファイル（３１９）を移動する（３４９）。同様にしてミュージック・ファイル（３２０）のある場所に戻り（３５０）、ミュージック・ファイル（３２０）を選択し、そしてミュージック・フォルダ（３０４）にミュージック・ファイル（３２０）を移動する（３５１）。
【００６７】
図３Ｃは、ユーザが移動先であるフォルダに合わせてファイルを選択し、当該複数の選択されたファイルをまとめてフォルダに振り分ける際の軌跡（手、指又はマウスなどの動き）を示す。
図３Ｂと異なり、ビデオ・ファイル（３１７及び３１８）をまとめて選択して（３３３）、当該選択されたビデオ・ファイル（３１７及び３１８）をビデオ・フォルダ（３０３）に移動し（３６５）、そしてミュージック・ファイル（３１９及び３２０）のある場所に戻り（３６６）、さらにミュージック・ファイル（３１９及び３２０）をまとめて選択して（３３４）、当該選択されたミュージック・ファイル（３１９及び３２０）をミュージック・フォルダ（３０４）に移動する（３６７）としても、ファイルのある場所と移動先フォルダのある場所とを何度も往復する操作が必要であり、その軌跡の数は多い。
【００６８】
図３Ｂ及び図３Ｃに示したように、ファイルの選択は同時に複数のファイルに対して行うことが可能である。しかし、その移動先フォルダは一つしか指定できない。従って、移動先フォルダが上記のように複数ある場合、移動先フォルダに合わせて個別にファイルを選択し、移動操作を繰り返す必要がある。また、例えばピクチャ・ファイルを「マイ  ピクチャ」フォルダに移動したい場合において、上記のような様々な種類のファイルから目的であるピクチャ・ファイルのみを選択する操作が必要である。さらに、移動先フォルダのそれぞれが離れた場所にある場合や、移動対象であるファイルが移動先フォルダから離れた場所に位置している場合、ユーザによる物理的な操作距離が長くなるので、かかる場合のファイル操作はユーザにとって手間である。このように、従来の方法では、グラフィカル・ユーザ・インタフェースの利点である直感的な操作感が阻害されている。
【００６９】
図４Ａ〜図４Ｇは、本発明の実施態様で使用するグループ・オブジェクトを活性化する操作例を示す図である。
【００７０】
図４Ａは、図３Ａと同様に、オブジェクトである複数のファイル（４１１〜４２０）及びこれらのファイルの移動先でありうる複数のフォルダ（４０１〜４０４）を示す。
【００７１】
図４Ｂ〜図４Ｄは、複数のファイルを選択後に、グループ・オブジェクトを活性化する操作例を示す。
【００７２】
図４Ｂは、複数のファイル（４１１〜４２０）のうち、複数のピクチャ・ファイル（４１４〜４１６）を選択する操作例を示す（４２１）。複数のファイルを選択するためのユーザ操作は、例えばタッチ・スクリーン上では、手を広げる、手や指をタッチ・スクリーン上に近づけて所定の時間が経過する、などである。そして、当該ユーザ操作に応じてファイルの複数選択モードが起動したら、ユーザは、ファイル上に指を触れて順に選択するか、選択したいファイル・グループ（４１４〜４１６）の周りを指でなぞる。このユーザ操作によって複数のファイルが選択され、そして当該選択されたファイル（４１４〜４１６）が選択状態になる。
【００７３】
図４Ｃは、グループ・オブジェクトを活性化する操作例を示す。グループ・オブジェクトを活性化するユーザ操作は、例えばタッチ・スクリーン上では、画面上で手又は指を大きく横にスライドしたり（４４１〜４４２）、振ったり、又は投げたりする；選択されたファイル・グループ（４２１）を（素早く）所定の方向にドラッグする、などである。そして、当該ユーザ操作に応じてグループ・オブジェクト（４３１）が活性化され、画面上にグループ・オブジェクト（４３１）が雲の形態で表示される。グループ・オブジェクト（４３１）は、デスクトップ上において、ユーザの操作視野を阻害しないような位置又は大きさで表示されうる。また、グループ・オブジェクト（４３１）のアイコンは、デスクトップ上において、オブジェクトのアイコンになるべく重ならないような位置又は大きさで表示されうる。
【００７４】
図４Ｄは、選択されたファイル（４１４〜４１６）がグループ・オブジェクト（４３１）内に表示される例を示す（４１４ａ〜４１６ａ）。このことは、選択されたファイル（４１４〜４１６）がグループ・オブジェクト（４３１）内に取り込まれたことを示す。グループ・オブジェクト（４３１）内に取り込まれたファイル（４１４ａ〜４１６ａ）に対応するデスクトップ上にあったファイル（４１４〜４１６）のアイコンは、例えば、デスクトップ上で薄く影のように表示されるか、デスクトップ上から消えるか、又はデスクトップ上で点滅するようにされうる。
【００７５】
図４Ｅ〜図４Ｇは、グループ・オブジェクトを活性化後に、複数のファイルを選択する操作例を示す。
【００７６】
図４Ｅは、グループ・オブジェクトを活性化する操作例を示す。図４Ｃでの操作と同様に、ユーザは、例えばタッチ・スクリーン上では、画面上で手又は指を大きく横にスライドしたり（４４３〜４４４）、振ったり、投げたりする；選択されたファイル・グループ（４２１）を（素早く）所定の方向にドラッグする、などして、グループ・オブジェクトを活性化する。そして、当該ユーザ操作に応じてグループ・オブジェクトが活性化され、画面上にグループ・オブジェクト（４３１）が雲の形態で表示される。
【００７７】
図４Ｆは、ユーザ操作に応じて、複数のファイルを選択する操作例を示す。図４Ｂでの操作と同様に、ユーザは、例えばタッチ・スクリーン上で、ファイル上を指で触れながら順に選択するか、選択したいファイル（４１４〜４１６）のグループの周りを指でなぞる。なお、グループ・オブジェクト（４３１）がファイルの選択前に活性化されている場合、デバイスは、上記複数選択モードをグループ・オブジェクト（４３１）の活性化と同時に起動するようにしうる。かかる場合においても、ユーザは、同様に、ファイル上を指で触れて順に選択するか、選択したいファイル・グループ（４１４〜４１６）の周りを指でなぞる。このユーザ操作によって複数のファイルが選択される。
【００７８】
図４Ｇは、選択されたファイル（４１４〜４１６）がグループ・オブジェクト（４３１）内に表示される例を示す。ユーザによるファイルの選択操作に応じて、選択されたファイル（４１４〜４１６）がグループ・オブジェクト（４３１）内に取り込まれる。そして、選択されたファイル（４１４〜４１６）がグループ・オブジェクト（４３１）内に表示される。デスクトップ上にあったファイル（４１４〜４１６）のアイコンは、図４Ｄの場合と同様に、デスクトップ上で薄く影のように表示されるか、又は、デスクトップ上から消える。
【００７９】
図５Ａ〜図５Ｆは、本発明の実施態様で使用するグループ・オブジェクト内に、操作するファイルを追加で移動する操作例を示す図である。
【００８０】
図５Ａは、図５Ｂ〜図５Ｆで行いたい操作の履歴（５０１〜５０４）を示す。
ユーザは、１．ピクチャ・ファイル（４１４〜４１６）のグループ（４２１）をグループ・オブジェクト（４３１）内に移動すること；２．ビデオ・ファイル（４１７〜４１８）のグループ（４２２）をグループ・オブジェクト（４３１）内に移動すること；３．ミュージック・ファイル（４１９）をグループ・オブジェクト（４３１）内に移動すること；４．ミュージック・ファイル（４２０）をグループ・オブジェクト（４３１）内に移動することを順に行うことが可能である。
【００８１】
また、ユーザは、例えば、１．ピクチャ・ファイル（４１４〜４１６）のグループ（４２１）とビデオ・ファイル（４１７〜４１８）のグループ（４２２）をまとめてグループ・オブジェクト（４３１）内に移動すること；２．ピクチャ・ファイル（４１４〜４１６）のグループ（４２１）とミュージック・ファイル（４１９）とをまとめてグループ・オブジェクト（４３１）内に移動することが可能である。
【００８２】
このように、ユーザは、複数のオブジェクトを（オブジェクトのグループ単位又はファイル単位で）、又は、１つのオブジェクトをフォルダ上からグループ・オブジェクト内に移動しうる。
【００８３】
図５Ｂは、図４Ｂ〜図４Ｄ又は図４Ｅ〜図４Ｇのいずれかの方法に従い、ユーザによって選択されたピクチャ・ファイル（４１４〜４１６）のグループ（４２１）を、グループ・オブジェクト（４３１）内に移動することを示す。
【００８４】
図５Ｃは、ピクチャ・ファイル（４１４〜４１６）がグループ・オブジェクト（４３１）内に取り込まれたことを示す（４１４ａ〜４１６ａ）。また、それに伴い、デスクトップ上のピクチャ・ファイル（４１４〜４１６）のアイコンが薄く影のように示されていることを示す。次に、ユーザは、ビデオ・ファイル（４１７〜４１８）を選択し、当該選択されたビデオ・ファイル（４１７〜４１８）のグループ（４２２）をグループ・オブジェクト（４３１）内に移動することを示す。ビデオ・ファイル（４１７〜４１８）の選択は、例えばビデオ・ファイル（４１７〜４１８）上に指を触れて順に選択するか、選択したいビデオ・ファイル（４１７〜４１８）のグループの周りを指でなぞることによって行われる。そして、ユーザは、選択されたビデオ・ファイル（４１７〜４１８）のグループ（４２２）を、グループ・オブジェクト（４３１）内に指でドラッグ（５１３〜５１４）する。当該ユーザ操作によって、複数のビデオ・ファイル（４１７〜４１８）がグループ・オブジェクト（４３１）内に取り込まれる（図５Ｄを参照）。
【００８５】
図５Ｄは、ビデオ・ファイル（４１７〜４１８）がグループ・オブジェクト（４３１）内に取り込まれたことを示す（４１７ａ〜４１８ａ）。また、それに伴い、デスクトップ上のビデオ・ファイル（４１７〜４１８）のアイコンが薄く影のように示されていることを示す。次に、ユーザは、ミュージック・ファイル（４１９）を選択し、当該選択されたミュージック・ファイル（４１９）をグループ・オブジェクト（４３１）内に移動することを示す。ミュージック・ファイル（４１９）の選択は、上記と同様にして行われる。そして、ユーザは、選択されたミュージック・ファイル（４１９）を、グループ・オブジェクト（４３１）内に指でドラッグ（５１５〜５１６）する。当該ユーザ操作によって、ミュージック・ファイル（４１９）がグループ・オブジェクト（４３１）内に取り込まれる（図５Ｅを参照）。
【００８６】
図５Ｅは、ミュージック・ファイル（４１９）がグループ・オブジェクト（４３１）内に取り込まれたことを示す（４１９ａ）。また、それに伴い、デスクトップ上のミュージック・ファイル（４１９）のアイコンが薄く影のように示されていることを示す。次に、ユーザは、ミュージック・ファイル（４２０）を選択し、当該選択されたミュージック・ファイル（４２０）をグループ・オブジェクト（４３１）内に移動することを示す。ミュージック・ファイル（４２０）の選択は、上記と同様にして行われる。そして、ユーザは、選択されたミュージック・ファイル（４２０）を、グループ・オブジェクト（４３１）内に指でドラッグ（５１７〜５１８）する。当該ユーザ操作によって、ミュージック・ファイル（４２０）がグループ・オブジェクト（４３１）内に取り込まれる（図５Ｆを参照）。
【００８７】
図５Ｆは、ミュージック・ファイル（４２０）がグループ・オブジェクト（４３１）内に取り込まれたことを示す（４２０ａ）。
【００８８】
図５Ｂ〜図５Ｆでは、ユーザによって選択された複数又は１つのファイルをグループ・オブジェクト（４３１）内に取り込むことを示した。逆に、ユーザは、グループ・オブジェクト（４３１）内に取り込まれたファイルを指で選択し、当該選択されたファイルをグループ・オブジェクト（４３１）外に（すなわちデスクトップ上に）投げる操作をすることによって、デスクトップ上に戻すことも可能である（図示せず）。
【００８９】
また、グループ・オブジェクト（４３１）は、そのグループ・オブジェクト（４３１）のアイコンを、例えば指、手又はマウスで選択してドラッグすることにより、デスクトップ上の任意の位置に移動させることが可能である。
【００９０】
図６Ａ〜図６Ｂは、本発明の実施態様で使用するグループ・オブジェクトを一時的に隠す操作を示す図である。
【００９１】
ユーザのファイル操作などのための操作視野を確保するなどの目的のために、ユーザは、グループ・オブジェクト（４３１）を画面上から一時的に消去したり（すなわち、隠したり）、又は画面上で小さなアイコンで表示したりすることが可能である。このように、グループ・オブジェクト（４３１）のアイコンを画面上から一時的に消去したり（すなわち、隠したり）、又は画面上で小さなアイコンで表示したりすることを以下ではグループ・オブジェクト潜在モードと呼ぶ。一方、グループ・オブジェクト（４３１）が操作可能な状態を、以下ではグループ・オブジェクト操作モードと呼ぶ。
【００９２】
グループ・オブジェクト処理部（２２４）は、画面上にユーザの指又は手がない間は所定の時間、例えば１分間だけグループ・オブジェクト操作モードに保ち、その後グループ・オブジェクト操作モードからグループ・オブジェクト潜在モードに切り替えることが可能である。または、グループ・オブジェクト処理部（２２４）は、グループ・オブジェクト（４３１）に対する操作が所定の時間行われなかった場合に、グループ・オブジェクト操作モードからグループ・オブジェクト潜在モードに切り替えることが可能である。または、グループ・オブジェクト処理部（２２４）は、グループ・オブジェクトからユーザの指又は手が画面から所定の距離を離れることに応じて、グループ・オブジェクト操作モードからグループ・オブジェクト潜在モードに切り替えることが可能である。または、グループ・オブジェクト処理部（２２４）は、ユーザがグループ・オブジェクトに無関係の領域（ファイル又はフォルダ以外の、例えば、デスクトップ、ワークスペース、又は指定のアイコン若しくは領域）をクリック及び／又はドラッグ、マウス・ジェスチャ操作又はペン・フリック操作を検出することに応じて、グループ・オブジェクト操作モードからグループ・オブジェクト潜在モードに切り替えることが可能である。
【００９３】
グループ・オブジェクト潜在モードでは、グループ・オブジェクト（４３１）を画面上から一時的に隠すだけでるため、グループ・オブジェクト（４３１）内に移動されたファイルは、グループ・オブジェクト（４３１）内に保持され続けたままである。
【００９４】
図６Ａは、グループ・オブジェクトがグループ・オブジェクト操作モードからグループ・オブジェクト潜在モードに切り替わる態様を示す。
ユーザは、例えば、グループ・オブジェクト（４３１）上でバッテン（図示せず）を描くことによって、グループ・オブジェクトをグループ・オブジェクト操作モードからグループ・オブジェクト潜在モードに切り替えることが可能である。図６Ａは、グループ・オブジェクト潜在モードに切り替わると、グループ・オブジェクト（４３１）が画面上で小さなアイコン（４３２）として表示される遷移態様（６０１）を示す。
【００９５】
図６Ｂは、グループ・オブジェクト（４３１）がグループ・オブジェクト潜在モードである場合の画面を示す。
グループ・オブジェクト潜在モードである場合、１つの実施態様としてグループ・オブジェクト（４３１）が小さなアイコン（４３２）として表示されうる。代替の実施態様として、グループ・オブジェクト潜在モードである場合、グループ・オブジェクト（４３１）が小さなアイコン（４３２）として表示されずに、グループ・オブジェクト（４３１）そのものが表示されないようにデスクトップ上から消してしまうようにしてもよい。グループ・オブジェクト（４３１）がグループ・オブジェクト潜在モードにある間は、グループ・オブジェクト内にあるファイルに対応するデスクトップ上のアイコンは、薄い影でなく元の通り（すなわち実線）で表示されるようにしてもよい。
【００９６】
図６Ｃ〜図６Ｄは、本発明の実施態様で使用するグループ・オブジェクトを消去する操作を示す図である。
【００９７】
ユーザは、グループ・オブジェクトによる処理を必要としない場合に、グループ・オブジェクトを消去することができる。
【００９８】
図６Ｃは、グループ・オブジェクトを消去するためのユーザの操作例を示す。ユーザは、例えば、グループ・オブジェクト上で指又は手を素早くドラッグする（すなわち、グループ・オブジェクトをごしごしと消すイメージである）ことによって（６１１〜６１２）、グループ・オブジェクトを消去しうる。
【００９９】
図６Ｄは、グループ・オブジェクトの消去後の画面である。グループ・オブジェクトはデスクトップ上から消去されるとともに、グループ・オブジェクト内にあったファイルがデスクトップ上の元の位置で薄い影でなく元の通り（すなわち実線）表示される。また、グループ・オブジェクトが消去されることに応じて、グループ・オブジェクト内のファイル情報もデバイスのメモリ上から削除される。
【０１００】
図７Ａ〜図７Ｄは、本発明の実施態様で使用するグループ・オブジェクトを一時的に隠した後、再び活性化する操作例を示す図である。
ユーザは、グループ・オブジェクト潜在モードからグループ・オブジェクト操作モードに切り替えたい場合に、例えば下記の操作を行う。
【０１０１】
図７Ａは、グループ・オブジェクト潜在モードであり、グループ・オブジェクト（４３１）が画面上に表示されていない場合（小さなアイコンとしても表示されていない）に、グループ・オブジェクト潜在モードからグループ・オブジェクト操作モードに切り替えるために上記小さなアイコンを画面上に表示させるための操作例を示す。
ユーザは、例えば、下記の操作を行い、グループ・オブジェクト表示部（２２３）は、グループ・オブジェクト潜在モードからグループ・オブジェクト操作モードに切り替えるためのアイコン（４３２ａ）を表示しうる。ユーザは、画面近傍又は画面上に指又は手を近づける（７０１）。グループ・オブジェクト処理部（２２４）が画面近傍又は画面上にユーザの指又は手が近づいたことを検出すると、グループ・オブジェクト表示部（２２３）は、指又は手の位置（すなわち、ユーザの視野操作の直下の位置）より少し離れた視野内（例えば右上２ｃｍの位置）に縮小表示されたグループ・オブジェクト（４３１）のアイコン（４３２ａ）を表示しうる（図７Ａを参照）。グループ・オブジェクト（４３１）のアイコン（４３２ａ）の表示によって、ユーザは、グループ・オブジェクト潜在モードからグループ・オブジェクト操作モードに切り替える操作をさらに行うことが可能になる。または、ユーザがファイルの複数選択モード（図４Ｂの説明を参照）を選択した場合に、グループ・オブジェクト表示部（２２３）が、グループ・オブジェクト潜在モードからグループ・オブジェクト操作モードに切り替えるためのアイコン（４３２ａ）を表示するようにしてもよい。
【０１０２】
グループ・オブジェクト潜在モードである場合、グループ・オブジェクト（４３１）が小さなアイコン（４３２ａ）として画面上に表示されていてもよい（図７Ａを参照）。
【０１０３】
図７Ｂは、図７Ａで表示された、グループ・オブジェクト（４３１）のアイコン（４３２ａ）を画面上で移動することができることを示す。
グループ・オブジェクト処理部（２２４）がユーザの手若しくは指又はマウスの位置の通常速度の移動（７０２〜７０３）を検出することに応じて、グループ・オブジェクト表示部（２２３）は、グループ・オブジェクト（４３１）のアイコン（４３２ａ）が手、指又はマウスなどの移動（７０２〜７０３）に応じた距離に追従するように（すなわち、つかず離れずに）画面上で移動して表示されうる（４３２ａ〜４３２ｂ）。
【０１０４】
また、グループ・オブジェクト（４３１）のアイコン（４３２ａ）が画面上に表示された後において、ユーザがグループ・オブジェクト潜在モードからグループ・オブジェクト操作モードに切り替える操作をしない場合（例えば、ユーザがグループ・オブジェクトと無関係なタッチ操作をしている場合）、所定の時間が経過後に、グループ・オブジェクト表示部（２２３）は、グループ・オブジェクト（４３１）のアイコン（４３２ａ）を画面上から消去しうる。
【０１０５】
図７Ｃは、図７Ａで表示された、グループ・オブジェクト（４３１）のアイコン（４３２ａ）を使用して、グループ・オブジェクト潜在モードからグループ・オブジェクト操作モードに切り替える操作例を示す。
ユーザは、例えば、下記の操作を行い、グループ・オブジェクト潜在モードからグループ・オブジェクト操作モードに切り替えうる。すなわち、ユーザは、グループ・オブジェクト（４３１）のアイコン（４３２ａ）上でユーザの指若しくは手又はマウスを素早い速度で任意の方向（例えば右上）へ移動させたり、タッチ操作（例えばトリプル・タッチ又は二本指での同時タッチ）を行ったり、又はオブジェクトを選択したりする。その結果、グループ・オブジェクト処理部（２２４）はグループ・オブジェクト潜在モードからグループ・オブジェクト操作モードに切り替えることができる。または、ユーザがファイルの複数選択モード（図４Ｂの説明を参照）を選択した場合に、グループ・オブジェクト処理部（２２４）は、グループ・オブジェクト潜在モードからグループ・オブジェクト操作モードに自動的に切り替えるようにしてもよい。
【０１０６】
図７Ｄは、グループ・オブジェクト潜在モードからグループ・オブジェクト操作モードに切り替わり、グループ・オブジェクト（４３１）が画面上に回復したことを示す。グループ・オブジェクト（４３１）は、例えばユーザの操作視野を阻害しないために、画面上のファイル及びフォルダをなるべく覆わないような位置及び大きさで表示されうる。
【０１０７】
図８Ａ〜図８Ｈは、本発明の実施態様である、グループ・オブジェクト内に表示されたオブジェクトのうちの特定のオブジェクトを複数の移動先オブジェクト内に移動する操作例を示す図である。
【０１０８】
図８Ａは、グループ・オブジェクト（４３１）が活性化され、その中にピクチャ・ファイル（４１４ａ〜４１６ａ）、ビデオ・ファイル（４１７ａ〜４１８ａ）、及びミュージック・ファイル（４１９ａ〜４２０ａ）があることを示す。
ユーザは、グループ・オブジェクト（４３１）中のピクチャ・ファイル（４１４ａ〜４１６ａ）を移動先オブジェクトであるピクチャ・フォルダ（４０２）に移動したいとする。ユーザは、グループ・オブジェクト（４３１）をピクチャ・フォルダ（４０２）上にドラッグする（８０１〜８０２）。
【０１０９】
図８Ｂは、グループ・オブジェクト（４３１）がピクチャ・フォルダ（４０２）上にドラッグされることに応じて、グループ・オブジェクト（４３１）中のファイル（４１４ａ〜４２０ａ）からピクチャ・フォルダの属性（すなわち、拡張子がピクチャ・ファイルであることを示す属性）を有するファイル（４１４ａ〜４１６ａ）が選択されることを示す。当該選択されたピクチャ・ファイル（４１４ａ〜４１６ａ）は、グループ・オブジェクト（４３１）内でピクチャ・フォルダ（４０２）に近い位置に自動的に移動しうる。
【０１１０】
また、グループ・オブジェクト（４３１）内のビデオ・ファイル（４１７ａ〜４１８ａ）が、グループ・オブジェクト（４３１）内でビデオ・フォルダ（４０３）に近い位置に移動するようにしてもよい。これは、グループ・オブジェクト処理部（２２４）がグループ・オブジェクト（４３１）内にあるファイルの属性（すなわち拡張子）と同一の属性を関連付けられたフォルダを見つけることによって行われうる。この際、グループ・オブジェクト（４３１）の形又は大きさが、ビデオ・フォルダ（４０３）に近くなるように変形されうる。
【０１１１】
図８Ｃは、ピクチャ・ファイル（４１４ａ〜４１６ａ）が、グループ・オブジェクト（４３１）からピクチャ・フォルダ（４０２）に移動したことを示す。従って、ピクチャ・フォルダ（４０２）には、ピクチャ・ファイル（４１４ｂ〜４１６ｂ）が格納されている。また、グループ・オブジェクト（４３１）の大きさが、ピクチャ・ファイル（４１４ａ〜４１６ａ）がグループ・オブジェクト（４３１）内から無くなることに応じて小さく描かれるようにしうる。ピクチャ・ファイル（４１４ａ〜４１６ａ）がグループ・オブジェクト（４３１）からピクチャ・フォルダ（４０２）へ移動する（落ちるイメージである）ことに応じて、デスクトップ上の点線で示されているピクチャ・ファイル（４１４〜４１６）のアイコンが消滅する。
【０１１２】
図８Ａ〜図８Ｃに示すように、ある属性を有する移動先オブジェクト上又はその近傍にグループ・オブジェクト（４３１）をドラッグすることによって、グループ・オブジェクト（４３１）中のファイルのうち、移動先オブジェクトが有する属性と同一の属性を持つファイルをグループ・オブジェクトから移動先オブジェクト中に自動的に移動させることが可能である。
【０１１３】
図８Ｃに示すように、ユーザは、引き続き、グループ・オブジェクト（４３１）中のビデオ・ファイル（４１７ａ〜４１８ａ）を移動先オブジェクトであるビデオ・フォルダ（４０３）に移動したいとする。ユーザは、グループ・オブジェクト（４３１）をビデオ・フォルダ（４０３）上にドラッグする（８０３〜８０４）。
【０１１４】
図８Ｄは、グループ・オブジェクト（４３１）がビデオ・フォルダ（４０３）上にドラッグされることに応じて、グループ・オブジェクト（４３１）中のファイル（４１７ａ〜４２０ａ）からビデオ・フォルダの属性（すなわち、拡張子がビデオ・ファイルであることを示す属性）を有するファイル（４１７ａ〜４１８ａ）が選択されることを示す。当該選択されたビデオ・ファイル（４１７ａ〜４１８ａ）は、グループ・オブジェクト（４３１）内でビデオ・フォルダ（４０３）に近い位置に自動的に移動しうる。
【０１１５】
また、グループ・オブジェクト（４３１）内のミュージック・ファイル（４１９ａ〜４２０ａ）が、グループ・オブジェクト（４３１）内でミュージック・フォルダ（４０４）に近い位置に移動するようにしてもよい。この際、グループ・オブジェクト（４３１）の形又は大きさが、ミュージック・フォルダ（４０４）に近くなるように変形されうる。
【０１１６】
図８Ｅは、ビデオ・ファイル（４１９ａ〜４２０ａ）が、グループ・オブジェクト（４３１）からビデオ・フォルダ（４０３）に移動したことを示す。従って、ビデオ・フォルダ（４０３）には、ビデオ・ファイル（４１７ｂ〜４１８ｂ）が格納されている。また、グループ・オブジェクト（４３１）の大きさが、ビデオ・ファイル（４１７ａ〜４１８ａ）がグループ・オブジェクト（４３１）内から無くなることに応じて小さく描かれるようにしうる。ビデオ・ファイル（４１７ａ〜４１８ａ）がグループ・オブジェクト（４３１）からビデオ・フォルダ（４０３）へ移動する（落ちるイメージである）ことに応じて、デスクトップ上で点線で示されているビデオ・ファイル（４１７〜４１８）のアイコンが消滅する。
【０１１７】
図８Ｅに示すように、ユーザは、引き続き、グループ・オブジェクト（４３１）中のミュージック・ファイル（４１９ａ〜４２０ａ）を移動先オブジェクトであるミュージック・フォルダ（４０４）に移動したいとする。ユーザは、グループ・オブジェクト（４３１）をミュージック・フォルダ（４０４）上にドラッグする（８０５〜８０６）。
【０１１８】
図８Ｆは、グループ・オブジェクト（４３１）がミュージック・フォルダ（４０４）上にドラッグされることに応じて、グループ・オブジェクト（４３１）中のファイル（４１９ａ〜４２０ａ）からミュージック・フォルダの属性（すなわち、拡張子がミュージック・ファイルであることを示す属性）を有するファイル（４１９ａ〜４２０ａ）が選択されることを示す。当該選択されたビデオ・ファイル（４１９ａ〜４２０ａ）は、グループ・オブジェクト（４３１）内でミュージック・フォルダ（４０４）に近い位置に自動的に移動しうる。
【０１１９】
図８Ｇは、ミュージック・ファイル（４１９ａ〜４２０ａ）が、グループ・オブジェクト（４３１）からミュージック・フォルダ（４０４）に移動したことを示す。従って、ミュージック・フォルダ（４０４）には、ミュージック・ファイル（４１９ｂ〜４２０ｂ）が格納されている。
【０１２０】
図８Ｈは、図８Ｇにおいて、ミュージック・ファイル（４１９ａ〜４２０ａ）がグループ・オブジェクト（４３１）からミュージック・フォルダ（４０４）に移動したことから、グループ・オブジェクト（４３１）にはファイルが何もないことを示す。そこで、グループ・オブジェクト（４３１）にはファイルが何もないことから、グループ・オブジェクト操作モードからグループ・オブジェクト潜在モードに自動的にモード変更が行われうる。また、図８Ｈは、画面上において、グループ・オブジェクト（４３１）が、小さいアイコン（４３２）に遷移することを示す（８０１）。あるいは、グループ・オブジェクト（４３１）にはファイルが何もないことから、グループ・オブジェクト（４３１）の処理そのものが終了されるようにしてもよい。
【０１２１】
図９Ａ〜図９Ｃは、本発明の実施態様である、グループ・オブジェクトが移動先オブジェクト（データ・フォルダ）の所定の範囲内に移動した場合に、当該データ・フォルダ内に保管されているファイルの拡張子に基づいて分類されたグループのうち、その存在割合が最大であるグループに属する属性を有するオブジェクトを、グループ・オブジェクトから当該移動先オブジェクト内に移動する操作例を示す。
【０１２２】
図９Ａは、各ファイル（４１４ａ〜４２０ａ）の属性に従い、図５Ｆに示すグループ・オブジェクト（４３１）から図９Ａに示すグループ・オブジェクト（４３１）に、各ファイル（４１４ａ〜４２０ａ）が並び替えられて表示される態様を示す。また、図９Ａは、各ファイル（４１４ａ〜４２０ａ）の属性（図９Ａの場合、各ファイルの拡張子である）に従い、図５Ｆに示すグループ・オブジェクト（４３１）から図９Ａに示すピクチャ・ファイル・グループ（９０１）、ビデオ・ファイル・グループ（９０２）、ミュージック・ファイル・グループ（９０３）という３つに各ファイルがグループ・オブジェクト（４３１）中でグループ化されて表示されている態様を示す。
【０１２３】
また、図９Ａは、ユーザが、グループ・オブジェクト（４３１）を移動先オブジェクトであるデータ・フォルダ（４０５）の所定の範囲内にドラッグして移動しつつあることを示す（９１１〜９１２）。
【０１２４】
図９Ｂは、グループ・オブジェクト（４３１）がデータ・フォルダ（４０５）に近づきつつあることを示す。ここで、グループ・オブジェクト処理部（２２４）は、グループ・オブジェクト（４３１）がデータ・フォルダ（４０５）に近づきつつあることを検出して、データ・フォルダ（４０５）に格納されているデータ・ファイルの拡張子に基づいて、下記に示すデータ・ファイル・グループ毎にデータ・フォルダ（４０５）中の各データ・ファイル・グループに属するファイルの存在割合を計算する。
【０１２５】
データ・ファイル・グループ        存在割合
文書ファイル                      １％
画像ファイル                    ９０％
音声ファイル                      ７％
動画ファイル                      ２％
【０１２６】
その結果、図９Ｂに示されているように、データ・フォルダ（４０５）中に存在するデータ・ファイル・グループ中、最もその存在割合が多い画像ファイルと同じ属性を有するピクチャ・ファイル・グループ（９０１）が、データ・フォルダ（４０５）に近い位置になるようにグループ・オブジェクト（４３１）内で移動する。
【０１２７】
このように、グループ・オブジェクト内の各ファイルは、移動先オブジェクト中に格納されているオブジェクトの属性の存在割合又はオブジェクト数によって動的に並び替えられうる。なお、各グループを示す点線は、画面上に表示されてもよいし、又は、ユーザが各グループを認識できるように各グループ同士が所定の間隔を開けて表示されていれば表示されていなくてもよい。
【０１２８】
また、図９Ｂは、ユーザが、グループ・オブジェクト（４３１）を移動先オブジェクトであるデータ・フォルダ（４０５）の所定の範囲内にさらにドラッグして移動しつつあることを示す（９１３〜９１４）。
【０１２９】
図９Ｃは、グループ・オブジェクト（４３１）がデータ・フォルダ（４０５）の所定の範囲内にドラッグされることに応じて、グループ・オブジェクト（４３１）中のファイル（４１９ａ〜４２０ａ）から、データ・フォルダ（４０５）中に存在するデータ・ファイル・グループ中、最もその存在割合が多い画像ファイルと同じ属性（すなわち、拡張子がピクチャ・ファイルであることを示す属性）を有するピクチャ・ファイル・グループ（９０１）がデータ・フォルダ（４０５）内に移動したことを示す。当該移動によって、デスクトップ上のピクチャ・ファイル（４１４〜４１６）のアイコンは削除される。
【０１３０】
図１０Ａ〜図１０Ｃは、本発明の実施態様である、グループ・オブジェクトが移動先オブジェクトの所定の範囲内に移動した場合に、グループ・オブジェクト内のオブジェクトを並び替える操作例を示す。
【０１３１】
図１０Ａは、各ファイル（４１４ａ〜４２０ａ）の属性に従い、図５Ｆに示すグループ・オブジェクト（４３１）から図１０Ａに示すグループ・オブジェクト（４３１）に、各ファイル（４１４ａ〜４２０ａ）が並び替えられて表示される態様を示す。また、図１０Ａは、各ファイル（４１４ａ〜４２０ａ）の属性（図１０Ａの場合、各ファイルの拡張子である）に従い、図５Ｆに示すグループ・オブジェクト（４３１）から図１０Ａに示すピクチャ・ファイル・グループ（１００１）、ビデオ・ファイル・グループ（１００２）、ミュージック・ファイル・グループ（１００３）という３つに各ファイルがグループ・オブジェクト（４３１）中でグループ化されて表示されている態様を示す。このように、グループ・オブジェクト内の各ファイルは、当該グループ・オブジェクトとフォルダとの位置又は距離に応じて、動的に並び替えられうる。なお、各グループを示す点線は、画面上に表示されてもよいし、又は、ユーザが各グループを認識できるように各グループ同士が所定の間隔を開けて表示されていれば表示されていなくてもよい。
【０１３２】
また、図１０Ａは、ユーザが、グループ・オブジェクト（４３１）をピクチャ・フォルダ（４０２）の所定の範囲内にドラッグして移動することを示す（１０１１〜１０１２）。その結果、グループ・オブジェクト（４３１）内の各ファイル（４１４ａ〜４２０ａ）は、図１０Ｂに示すように並び替えられうる。
【０１３３】
図１０Ｂは、グループ・オブジェクト（４３１）がピクチャ・フォルダ（４０２）の所定の範囲（例えば、ピクチャ・フォルダ（４０２）上又はその近傍）にドラッグされる（１０１３〜１０１４）ことに応じて、グループ・オブジェクト（４３１）内の各ファイル（４１４ａ〜４２０ａ）が並び替えられた態様を示す。グループ・オブジェクト（４３１）中において、ピクチャ・フォルダ（４０２）に近い位置に、ピクチャ・フォルダ（４０２）が有する属性（すなわち、ピクチャ・ファイルの拡張子）と同じ属性を有するピクチャ・ファイル（４１４ａ〜４１６ａ）が移動して表示される。また、グループ・オブジェクト（４３１）中において、ビデオ・フォルダ（４０３）に近い位置に、ビデオ・フォルダ（４０３）が有する属性（すなわち、ビデオ・ファイルの拡張子）と同じ属性を有するピクチャ・ファイル（４１７ａ〜４１８ａ）が移動して表示される。このように、グループ・オブジェクト内の各ファイルは、当該グループ・オブジェクトと移動先フォルダとの位置又は距離に応じて、動的に並び替えられうる。
【０１３４】
また、図１０Ｂは、ユーザが、次に、グループ・オブジェクト（４３１）をミュージック・フォルダ（４０４）の所定の範囲内にドラッグして移動したとすることを示す。その結果、グループ・オブジェクト（４３１）内の各ファイル（４１４ａ〜４２０ａ）は、図１０Ｃに示すよう動的に並び替えられうる。
【０１３５】
図１０Ｃは、グループ・オブジェクト（４３１）がミュージック・フォルダ（４０４）の所定の範囲内にドラッグされることに応じて、グループ・オブジェクト（４３１）内の各ファイル（４１４ａ〜４２０ａ）が並び替えられた態様を示す。グループ・オブジェクト（４３１）中において、ミュージック・フォルダ（４０４）に近い位置に、ミュージック・フォルダ（４０４）が有する属性（すなわち、ミュージック・ファイルの拡張子）と同じ属性を有するミュージック・ファイル（４１９ａ〜４２０ａ）が表示される。また、グループ・オブジェクト（４３１）中において、ビデオ・フォルダ（４０３）に近い位置に、ビデオ・フォルダ（４０３）が有する属性（すなわち、ビデオ・ファイルの拡張子）と同じ属性を有するビデオ・ファイル（４１７ａ〜４１８ａ）が表示される。このように、グループ・オブジェクト内の各ファイルは、当該グループ・オブジェクトと移動先フォルダとの位置又は距離に応じて、動的に並び替えられうる。
【０１３６】
図１１Ａ〜図１１Ｃは、本発明の実施態様である、グループ・オブジェクトが複数の移動先候補オブジェクトの所定の範囲内にある場合に、グループ・オブジェクト内のオブジェクトを並び替える操作例を示す。
【０１３７】
図１１Ａは、各ファイル（４１４ａ〜４２０ａ）の属性に従い、図５Ｆに示すグループ・オブジェクト（４３１）から図１１Ａに示すグループ・オブジェクト（４３１）に、各ファイル（４１４ａ〜４２０ａ）が並び替えられて表示されている態様を示す。また、図１１Ａは、各ファイル（４１４ａ〜４２０ａ）の属性（図１１Ａの場合、各ファイルの拡張子である）に従い、図５Ｆに示すグループ・オブジェクト（４３１）から図１１Ａに示すピクチャ・ファイル・グループ（１１０１）、ビデオ・ファイル・グループ（１１０２）、ミュージック・ファイル・グループ（１１０３）という３つに各ファイルがグループ・オブジェクト（４３１）中でグループ化されて表示されている態様を示す。なお、各グループを示す点線は、画面上に表示されてもよいし、又は、ユーザが各グループを認識できるように各グループ同士が所定の間隔を開けて表示されていれば表示されていなくてもよい。
【０１３８】
図１１Ｂは、図１１Ａに示すように、グループ・オブジェクト（４３１）に、各ファイル（４１４ａ〜４２０ａ）がファイルの属性毎に並び替えられていることから、ユーザがグループ・オブジェクト（４３１）中の特定のファイルを容易に特定のフォルダに移動しうることを示す。図１１Ｂでは、ユーザがグループ・オブジェクト（４３１）中のビデオ・ファイル（４１７ａ〜４１８ａ）をビデオ・フォルダ（４０３）にドラッグ（１１２１〜１１２２）して移動する態様を示す。その結果が、図１１Ｃに示されている。
【０１３９】
図１１Ｃは、図１１Ｂに示すドラッグによって、グループ・オブジェクト（４３１）中のビデオ・ファイル（４１７ａ〜４１８ａ）をビデオ・フォルダ（４０３）に移動したことを示す。当該移動によって、デスクトップ上のビデオ・ファイル（４１７〜４１８）のアイコンは削除される。
【０１４０】
図１２Ａ〜図１２Ｃは、本発明の実施態様である、グループ・オブジェクト内のオブジェクトが並び替えられた後に、グループ・オブジェクト中の特定のオブジェクトを移動先オブジェクトに移動する操作例を示す。この移動方法には、図１２Ａ〜図１２Ｃに示すようにグループ・オブジェクトを移動先オブジェクトに移動して上記特定のオブジェクトを移動する方法と、図１２Ｄ〜図１２Ｅに示すように上記特定のオブジェクトを移動先オブジェクトに直接的に移動する方法とがある。
【０１４１】
図１２Ａは、ユーザが、グループ・オブジェクトを移動先オブジェクトに移動してグループ・オブジェクト（４３１）中のミュージック・ファイル（４１９ａ）のみをミュージック・フォルダ（４０４）に移動することを示す。
ユーザは、グループ・オブジェクト（４３１）をミュージック・フォルダ（４０４）の方向にドラッグする（１２１１〜１２１２）。
【０１４２】
図１２Ｂは、図１２Ａに示すユーザによるドラッグ（１２１１〜１２１２）に応じて、ミュージック・ファイル（４１９ａ）がミュージック・フォルダ（４０４）上に重なったことを示す。
【０１４３】
図１２Ｃは、ミュージック・ファイル（４１９ａ）がミュージック・フォルダ（４０４）上に重なったことに応じて、グループ・オブジェクト（４３１）中のミュージック・ファイル（４１９ａ）のみがミュージック・フォルダ（４０４）に移動したことを示す。
【０１４４】
図１２Ｄは、ユーザが、グループ・オブジェクト（４３１）中のミュージック・ファイル（４１９ａ）を移動先オブジェクトに移動して、当該ミュージック・ファイル（４１９ａ）のみをミュージック・フォルダ（４０４）に移動することを示す。
ユーザは、ミュージック・ファイル（４１９）をミュージック・フォルダ（４０４）の報告にドラッグする（１２１３〜１２１４）。
【０１４５】
図１２Ｅは、グループ・オブジェクト（４３１）中のミュージック・ファイル（４１９ａ）がミュージック・フォルダ（４０４）内に移動したことを示す。なお、ユーザは、ミュージック・フォルダ（４０４）内に移動したミュージック・ファイル（４１９ｂ）又はミュージック・フォルダ（４０４）内にあるミュージック・ファイル（図示せず）も、同様にして、グループ・オブジェクト（４３１）に移動することが可能である。
【０１４６】
図１３は、本発明の実施態様である、グループ・オブジェクトの操作モード及び潜在モードの各処理を示すフローチャートである。
ステップ１３０１では、本発明の実施態様で使用されうるデバイス（以下、デバイスという）が、グループ・オブジェクトの処理プログラムを開始する。当該処理プログラムは、例えば、上記デバイスの起動時に自動的にメモリ内に読み込まれて開始されうる。
ステップ１３０２では、選択部（２２２）は、ユーザがフォルダ上の１又は複数のオブジェクトを選択することを可能にし、且つ、ユーザ操作に応じて、当該オブジェクトが選択されたことを検出する。
ステップ１３０３では、選択部（２２２）は、ステップ１３０２に引き続き、ユーザがオブジェクトを選択したかどうかを検出する。選択部（２２２）は、ユーザによる選択の繰り返し操作を検出した場合（例えば、図５Ｃ、図５Ｄ及び図５Ｅを参照）、ステップ１３０２に戻る。一方、ユーザ操作が、グループ・オブジェクトの表示操作である場合（例えば、図４Ａ、図４Ｂ及び図４Ｃを参照）、選択部（２２２）は、その処理をグループ・オブジェクト表示部（２２３）に渡して、ステップ１３０４に進む。
ステップ１３０４では、グループ・オブジェクト表示部（２２３）は、ユーザ操作に応じて、表示部（２１１）上にグループ・オブジェクトを表示する。
ステップ１３０５では、グループ・オブジェクト表示部（２２３）は、ユーザ操作に応じて、ステップ１３０２においてユーザによって選択されたオブジェクトをグループ・オブジェクト内に表示する。
ステップ１３０６では、グループ・オブジェクト処理部（２２４）は、グループ・オブジェクト潜在モードに移行するユーザ指示があるかどうかを検出する。グループ・オブジェクト潜在モードへの移行指示が無く、オブジェクト又はグループ・オブジェクト内のオブジェクトの操作指示があった場合、ステップ１３０７に進む。一方、グループ・オブジェクト処理部（２２４）は、グループ・オブジェクト潜在モードへの移行指示があった場合、ステップ１３０８に進む。
グループ・オブジェクト潜在モードに移行するユーザ指示があるかどうかは、例えば、グループ・オブジェクトの表示から所定の時間が経過したかどうかを判断することによって行われる。かかる場合において、所定の時間が経過することに応じて、グループ・オブジェクト処理部（２２４）は、ステップ１３０８に進む。一方、かかる場合において、所定の時間が経過する前に、ユーザ操作によって、オブジェクトの操作、グループ・オブジェクト又はグループ・オブジェクト内のファイルの操作を検出した場合、グループ・オブジェクト処理部（２２４）は、ステップ１３０７に進む。
ステップ１３０７では、ステップ１３０３と同様に、選択部（２２２）は、ユーザがオブジェクトを選択したかどうかを検出する。選択部（２２２）は、ユーザによる選択の繰り返し操作を検出した場合、ステップ１３０５に戻る。一方、ユーザ操作に応じて、グループ・オブジェクト又はグループ・オブジェクト内のファイルの操作を検出した場合、グループ・オブジェクト処理部（２２４）はステップ１３１０に進む。
ステップ１３０８では、グループ・オブジェクト処理部（２２４）は、ユーザ操作に応じて、グループ・オブジェクト操作モードからグループ・オブジェクト潜在モードに移行する。当該移行に応じて、グループ・オブジェクト表示部（２２３）は、グループ・オブジェクトを画面上から隠すか、又は小さいアイコンで示す。当該ユーザ操作は、例えば図６Ａ及び図６Ｂ並びのその説明において示した操作である。
ステップ１３０９では、グループ・オブジェクト処理部（２２４）は、ユーザ操作に応じて、グループ・オブジェクト潜在モードからグループ・オブジェクト操作モードに移行する。当該ユーザ操作は、例えば図７Ｃ及び図７Ｄ並びのその説明において示した操作である。また、当該ユーザ操作が、ステップ１３０２の１又は複数のオブジェクトの選択であってもよい。当該移行に応じて、グループ・オブジェクト表示部（２２３）は、グループ・オブジェクトを画面上に再表示する。グループ・オブジェクトが活性化することに応じて、グループ・オブジェクト処理部（２２４）は、ステップ１３０７に進む。
ステップ１３１０では、ユーザ操作に応じて、グループ・オブジェクト内のオブジェクトの操作をする。グループ・オブジェクト内のオブジェクトの操作の詳細は、下記図１４において述べる。当該操作の終了に応じて、グループ・オブジェクト処理部（２２４）は、ステップ１３１１に進む。
ステップ１３１１では、グループ・オブジェクト処理部（２２４）は、次のユーザ操作がある場合にステップ１３０６に戻り、潜在モードの移行でない場合はステップ１３０７の操作を再び行う。一方、次のユーザ操作がグループ・オブジェクトの終了操作である場合又はグループ・オブジェクト内のオブジェクトが空になった場合、グループ・オブジェクト処理部（２２４）は、ステップ１３１２に進む。また、グループ・オブジェクト内のオブジェクトの操作が所定の時間無い場合、グループ・オブジェクト処理部（２２４）はステップ１３０６に戻り、グループ・オブジェクトを隠す（１３０８）。
ステップ１３１２では、グループ・オブジェクト処理部（２２４）は、ユーザ操作に応じて又はデバイスの終了操作に応じて、グループ・オブジェクトの処理プログラムを終了する。
【０１４７】
なお、上記フローチャートにおいて、ステップ１３０２〜ステップ１３０４の処理が、ステップ１３０４、１３０２、そして１３０３の順に処理されてもよい。
【０１４８】
図１４は、本発明の実施態様である、グループ・オブジェクト内のオブジェクトの操作処理を示すフローチャートである。
ステップ１４０１では、グループ・オブジェクト処理部（２２４）は、グループ・オブジェクト内のオブジェクトの操作処理を開始する。
ステップ１４０２では、グループ・オブジェクト処理部（２２４）は、必要に応じて、グループ・オブジェクト内にあるオブジェクトを当該オブジェクトが有する属性に従い並べ替えうる。並べ替えられた結果は、例えば図１０Ａ及び図１１Ａに示す通りである。
ステップ１４０３では、グループ・オブジェクト処理部（２２４）は、ユーザ操作に応じて、グループ・オブジェクトが移動先オブジェクトの所定の範囲内にあるかどうかを判断する。グループ・オブジェクトが当該所定の範囲内にない場合、グループ・オブジェクト処理部（２２４）は、ステップ１４０４に進む。一方、グループ・オブジェクトが当該所定の範囲内にある場合、グループ・オブジェクト処理部（２２４）は、ステップ１４０５に進む。
ステップ１４０４では、グループ・オブジェクト処理部（２２４）は、ユーザ操作に応じて、グループ・オブジェクトが移動したかどうかを判断する。グループ・オブジェクトが移動した場合、グループ・オブジェクト処理部（２２４）は、ステップ１４０３に戻る（図８Ａ、図８Ｃ、図８Ｅ、図１０Ａ、図１０Ｂを参照）。一方、グループ・オブジェクトが移動していない場合、グループ・オブジェクト処理部（２２４）は、ステップ１４１２に進む。
ステップ１４０５では、グループ・オブジェクト処理部（２２４）は、移動したグループ・オブジェクト内にあるオブジェクトを、移動先オブジェクトの属性に従い並び替える（図８Ｂ、図８Ｄ、図８Ｆ、図１０Ｂ、図１０Ｃを参照）。
ステップ１４０６では、グループ・オブジェクト処理部（２２４）は、ユーザ操作がグループ・オブジェクト内のオブジェクトを移動先オブジェクト内にコピーすることであるかどうかを判断する。グループ・オブジェクト処理部（２２４）は、ユーザ操作がコピーすることである場合ステップ１４０７に進み、一方、ユーザ操作がコピーすることでない場合ステップ１４０８に進む。
ステップ１４０７では、グループ・オブジェクト処理部（２２４）は、グループ・オブジェクト内の特定のオブジェクトを、移動先オブジェクト内にコピーする。当該コピーの結果、グループ・オブジェクト表示部（２２３）は、移動先オブジェクト内に当該コピーされたオブジェクトを表示する。コピー終了後、グループ・オブジェクト処理部（２２４）はステップ１４０２に戻り、グループ・オブジェクト内にあるオブジェクトを当該オブジェクトが有する属性に従い並べ替えうる。
ステップ１４０８では、グループ・オブジェクト処理部（２２４）は、ユーザ操作がグループ・オブジェクト内のオブジェクトを移動先オブジェクト内に移動することであるかどうかを判断する。グループ・オブジェクト処理部（２２４）は、ユーザ操作が移動することである場合ステップ１４０９に進み、一方、ユーザ操作が移動することでない場合ステップ１４１０に進む。
ステップ１４０９では、グループ・オブジェクト処理部（２２４）は、グループ・オブジェクト内の特定のオブジェクトを、移動先オブジェクト内に移動する。当該移動の結果、アイコン表示部（２２１）は、移動先オブジェクト内に当該移動されたオブジェクトを表示する（図８Ｃ、図８Ｅ、図８Ｇ、図１１Ｃ、図１２Ｃを参照）。一方、グループ・オブジェクト表示部（２２３）は、上記移動先オブジェクト内に移動したオブジェクトに対応するオブジェクトをグループ・オブジェクト内から消去する。移動終了後、グループ・オブジェクト処理部（２２４）はステップ１４０２に戻り、グループ・オブジェクト内にあるオブジェクトを当該オブジェクトが有する属性に従い並べ替えうる。
ステップ１４１０では、グループ・オブジェクト処理部（２２４）は、ユーザ操作がグループ・オブジェクト内のオブジェクトを移動先オブジェクトで開くことであるかどうかを判断する。グループ・オブジェクト処理部（２２４）は、ユーザ操作が開くことである場合ステップ１４１１に進み、一方、ユーザ操作が開くことでない場合ステップ１４１２に進む。
ステップ１４１１では、グループ・オブジェクト処理部（２２４）は、グループ・オブジェクト内の特定のオブジェクトを、移動先オブジェクトで開く。移動先オブジェクトで特定のオブジェクトが開かれることによって、当該特定のオブジェクトのアイコンはグループ・オブジェクトから削除されるとともに、グループ・オブジェクトに移動前の特定のオブジェクトのアイコンが実線に戻る。移動先オブジェクトで特定のオブジェクトが開かれることに応じて、グループ・オブジェクト処理部（２２４）はステップ１４０２に戻り、グループ・オブジェクト内にあるオブジェクトを当該オブジェクトが有する属性に従い並べ替えうる。
ステップ１４１２では、グループ・オブジェクト処理部（２２４）は、グループ・オブジェクト内のオブジェクトの操作処理を終了する。当該終了に応じて、グループ・オブジェクト処理部（２２４）は、図１３のステップ１３１１に進む。
【０１４９】
図１５は、本発明の実施態様に従い、アプリケーションの対応形式が異なるファイルを優先的に振り分ける処理を示す図である。
ユーザは、ＷＯＲＤ９７−２００３形式のファイルとＷＯＲＤ２００７形式のファイルとを区別して所定のフォルダに振り分けたいと考えている。そこで、ユーザは、グループ・オブジェクト操作モードにして、グループ・オブジェクト（１５３１）を呼び出し、ＷＯＲＤファイル（１５１１〜１５１５）をグループ・オブジェクト（１５３１）に入れた。図１５Ａ（上側）は、その直後の図を示す。図１５Ａでは、グループ・オブジェクト（１５３１）内にＷＯＲＤファイル（１５１１〜１５１５）が移動されており、Ｗｏｒｄ９７−２００３形式のファイル（１５１１ａ、１５１３ａ）のグループ１（１５２１）とＷｏｒｄ２００７形式のファイル（１５１２ａ、１５１４ａ、１５１５ａ）のグループ２に並べ替えられている。
ユーザは、グループ・オブジェクト（１５３１）をフォルダ（１５０１）に移動した（１５４１〜１５４２）。フォルダ（１５０１）には属性として、ＷＯＲＤ２００７の形式が関連付けられている。
そこで、グループ・オブジェクト処理部（２２４）は、フォルダ（１５０１）の属性と同じ属性を有するグループ２をグループ・オブジェクト（１５３１）から選択し、フォルダ（１５０１）に移動した。図１５Ｂは、その直後の図を示す。図１５Ｂでは、グループ２（１５２２）にグループ化されていたＷＯＲＤファイル（１５１２ａ、１５１４ａ、１５１５ａ）が、フォルダ（１５０１）に移動したことを示す（１５１２ｂ、１５１４ｂ、１５１５ｂ）。また、図１５Ｂでは、デスクトップ上から、ＷＯＲＤファイル（１５１２、１５１４、１５１５）が消去されている。
【０１５０】
図１５では、属性として、アプリケーションの対応形式を使用した例を説明した。その他に、例えば属性として、画像ファイルの撮影場所を使用した例を説明する。各画像ファイルにはＧＰＳデータが埋め込まれており、各フォルダが例えば東京都を示すＧＰＳの範囲、大阪府を示すＧＰＳの範囲、京都府を示すＧＰＳの範囲に関連付けられているとする。
ユーザは、画像ファイルを撮影場所（東京都、大阪府、京都府）の３つに区別して所定のフォルダに振り分けたいと考えている。そこで、ユーザは、グループ・オブジェクト操作モードにして、グループ・オブジェクトを呼び出し、画像ファイルをグループ・オブジェクトに入れた（なお、画像ファイル以外のファイルが入っていても問題はない）。グループ・オブジェクト内では、各ファイルのＧＰＳデータに従って、東京都で撮影されたファイル群、大阪府で撮影されたファイル群、及び京都府で撮影されたファイル群の３つに並べ替えられている。
グループ・オブジェクトを東京都の画像を格納するフォルダ（以下、フォルダ（東京）という）に移動した当該フォルダには属性として、東京都のＧＰＳの形式が関連付けられている。
そこで、グループ・オブジェクト処理部（２２４）は、フォルダ（東京）の属性と同じ属性を有する東京都で撮影された画像ファイルをグループ・オブジェクト（１５３１）から選択し、当該選択された画像ファイルをフォルダ（東京）に移動した。アイコン表示部（２２１）は、当該移動に伴い、東京都で撮影された画像ファイルをデスクトップ上から消去した。
【０１５１】
図１６は、本発明の実施態様に従い、複数のブックマーク・ファイルのうちのリンク切れしたファイルをゴミ箱に捨てる処理を示す図である。
ユーザは、複数のブックマーク・ファイルのうち、属性としてリンク切れしているファイルをゴミ箱に捨てたいと考えている。そこで、ユーザは、グループ・オブジェクト操作モードにして、グループ・オブジェクト（１６３１）を呼び出し、ブックマーク・ファイル（１６１１〜１６１５）をグループ・オブジェクト（１６３１）に入れた。図１６Ａ（上側）は、その直後の図を示す。図１６Ａでは、グループ・オブジェクト（１６３１）内にブックマーク・ファイル（１６１１〜１６１５）が移動されている。ブックマーク・ファイル（１６１１〜１６１５）は、リンク切れをしているか又はしていないかを示す属性を有している。そこで、グループ・オブジェクト処理部（２２４）は、ブックマーク・ファイル（１６１１〜１６１５）の当該属性に基づいて、リンク切れをしていないブックマーク・ファイル（１６１１ａ、１６１３ａ）のグループ１（１６２１）とリンク切れをしているブックマーク・ファイル（１６１２ａ、１６１４ａ、１６１５ａ）のグループ２に並べ替えた。
ユーザは、グループ・オブジェクト（１６３１）をゴミ箱（１６０１）上に移動した（１６４１〜１６４２）。ゴミ箱（１６０１）の属性はブックマーク・ファイルのリンク切れであり、ゴミ箱（１６０１）は、ゴミ箱（１６０１）の所定の範囲にグループ・オブジェクトが入ると、リンク切れしたブックマーク・ファイルをゴミ箱に移動するように設定されている。
そこで、グループ・オブジェクト処理部（２２４）は、ゴミ箱（１６０１）の属性と同じ属性を有するグループ２をグループ・オブジェクト（１６３１）から選択し、ゴミ箱（１６０１）に移動した。図１６Ｂは、その直後の図を示す。図１６Ｂでは、グループ２（１６２２）にグループ化されていたブックマーク・ファイル（１６１２ａ、１６１４ａ、１６１５ａ）が、ゴミ箱（１６０１）に移動したことを示す（１６１２ｂ、１６１４ｂ、１６１５ｂ）。また、図１６Ｂでは、デスクトップ上から、ブックマーク・ファイル（１６１２、１６１４、１６１５）が消去された。
【０１５２】
図１７は、本発明の実施態様に従い、複数のブックマークのうちの所定の文字列を有するファイルをタブ・ブラウザで開く処理を示す図である。
ユーザは、ブックマーク・ファイルのうち、属性としてＵＲＬ中に所定の文字（例えばＩＢＭ）を有するブックマーク・ファイルをタブ・ブラウザで開いて閲覧したいと考えている（ＩＢＭは商標である）。そこで、ユーザは、グループ・オブジェクト操作モードにして、グループ・オブジェクト（１７３１）を呼び出し、ブックマーク・ファイル（１７１１〜１７１５）をグループ・オブジェクト（１７３１）に入れた。図１７Ａ（上側）は、その直後の図を示す。図１７Ａでは、グループ・オブジェクト（１７３１）内にブックマーク・ファイル（１７１１〜１７１５）が移動されている。ブックマーク・ファイル（１７１１、１７１３）はＵＲＬ中にＩＢＭの文字を含まない。一方、ブックマーク・ファイル（１７１２、１７１４、１７１５）は、ＵＲＬ中にＩＢＭの文字を含む。グループ・オブジェクト処理部（２２４）は、ブックマーク・ファイル（１７１１〜１７１５）が有する属性（ＵＲＬ）に基づいて、ＵＲＬ中にＩＢＭの文字を含まないブックマーク・ファイル（１７１１ａ、１７１３ａ）のグループ１（１７２１）とＵＲＬ中にＩＢＭの文字を含むブックマーク・ファイル（１７１２ａ、１７１４ａ、１７１５ａ）のグループ２に並べ替えた。
ユーザは、グループ・オブジェクト（１７３１）を移動先オブジェクトであるブラウザ・ショートカット（１７０１）の所定の範囲に移動した（１７４１〜１７４２）。ブラウザ・ショートカット（１７０１）の属性はＵＲＬ中にＩＢＭの文字を含むブックマーク・ファイルであり、ブラウザ・ショートカット（１７０１）は、ＵＲＬ中にＩＢＭの文字を含むブックマーク・ファイルをタブ・ブラウザ（１７５１）で開くように設定されている。
そこで、グループ・オブジェクト処理部（２２４）は、ブラウザ・ショートカット（１７０１）の属性と同じ属性を有するグループ２をグループ・オブジェクト（１７３１）から選択し、当該グループに属する各ブックマーク・ファイル（１７１２ａ、１７１４ａ、１７１５ａ）をタブ・ブラウザ（１７５１）で開いた。図１７Ｂはその直後の図を示す。図１７Ｂでは、タブ・ブラウザ（１７５１）がブックマーク・ファイル（１７１２、１７１４、１７１５）を読み取り、そのＵＲＬに指定されたウェブ・ページが表示されている。現在は、ブックマーク・ファイル（１７１２）のＵＲＬに指定されたコンテンツが表示されている。ユーザは、タグの切り替えを行うことによって、ブックマーク・ファイル（１７１４）及びブックマーク・ファイル（１７１５）のコンテンツを順次閲覧することが可能である。タブ・ブラウザ（１７５１）が複数のブック・ファイルを読み込む順序は、例えば、グループ２中の各ブックマーク・ファイルの保存日付の最新順としうる。また、図１７Ｂでは、グループ・オブジェクト（１７３１）からブックマーク・ファイル（１７１２ａ、１７１４ａ、１７１５ａ）が消去され、デスクトップ上のブックマーク・ファイル（１７１２、１７１４、１７１５）のアイコンが実線に戻っている。
【０１５３】
図１７では、移動先オブジェクトが複数のブックマーク・ファイルを一度に開くことが可能なブラウザ・ショートカット（１７０１）である場合を例として説明した。しかし、ブラウザが一度に複数のブックマーク・ファイルを開くことができない場合には、グループ・オブジェクト処理部（２２４）は、ブックマーク・ファイルの数分だけ複数のウィンドウを起動して、ウィンドウ毎に当該ブラウザを起動してブックマーク・ファイルを読み込み、当該ブックマーク・ファイルのＵＲＬに指定されているコンテンツを表示するようにしうる。また、上記各ウィンドウは、例えば各ブックマーク・ファイルの保存日付の最新順に階層的に表示されるようにしうる。
【０１５４】
また、移動先オブジェクトがブラウザ・ショートカット（１７０１）でなく、エディタ・ショートカットである場合、グループ・オブジェクト処理部（２２４）は、ブックマーク・ファイルをアルファベット昇順で一番上にくるものを読み込み、編集可能なようにしうる。
【０１５５】
図１８は、本発明の実施態様に従い、複数のミュージック・ファイルのうちの所定のアルバム名を有するファイルをミュージック・プレイヤで開く処理を示す図である。
ユーザは、複数のミュージック・ファイルのうち、属性としてアルバム名が「ＡＢＣ」を有するミュージック・ファイルをミュージック・プレイヤで開いて聴きたいと考えている。そこで、ユーザは、グループ・オブジェクト操作モードにして、グループ・オブジェクト（１８３１）を呼び出し、ミュージック・ファイル（１８１１〜１８１５）をグループ・オブジェクト（１８３１）に入れた。図１８Ａ（上側）は、その直後の図を示す。図１８Ａでは、グループ・オブジェクト（１８３１）内にミュージック・ファイル（１８１１〜１８１５）が移動されている。ミュージック・ファイル（１８１１、１８１３）が属性として有するアルバム名は「ＸＹＺ」である。一方、ミュージック・ファイル（１８１２、１８１４、１８１５）が属性として有するアルバム名は「ＡＢＣ」である。グループ・オブジェクト処理部（２２４）は、ミュージック・ファイル（１８１１〜１８１５）が有する属性（アルバム名）に基づいて、アルバム名が「ＡＢＣ」でないミュージック・ファイル（１８１１ａ、１８１３ａ）のグループ１（１８２１）とアルバム名が「ＡＢＣ」であるミュージック・ファイル（１８１２ａ、１８１４ａ、１８１５ａ）のグループ２に並べ替えた。
ユーザは、グループ・オブジェクト（１８３１）を移動先オブジェクトであるミュージック・プレイヤ・ショートカット（１８０１）の所定の範囲に移動した（１８４１〜１８４２）。ミュージック・プレイヤ・ショートカット（１８０１）の属性はアルバム名が「ＡＢＣ」であるミュージック・ファイルであり、ミュージック・プレイヤ・ショートカット（１８０１）は、アルバム名が「ＡＢＣ」であるミュージック・ファイルをミュージック・プレイヤ・ショートカット（１８０１）で開くように設定されている。
そこで、グループ・オブジェクト処理部（２２４）は、ミュージック・プレイヤ・ショートカット（１８０１）の属性と同じ属性を有するグループ２をグループ・オブジェクト（１８３１）から選択し、当該グループに属する各ミュージック・ファイル（１８１２ａ、１８１４ａ、１８１５ａ）をミュージック・プレイヤ（１８５１）で開いた。図１８Ｂはその直後の図を示す。図１８Ｂでは、ミュージック・プレイヤ（１８５１）がミュージック・ファイル（１８１２、１８１４、１８１５）を読み込み、再生リストに指定されている。現在は、ミュージック・ファイル（１８１２）を再生している。ミュージック・プレイヤ（１８５１）は、読み込まれたミュージック・ファイル（１８１２、１８１４、１８１５）を順次再生する。ミュージック・プレイヤ（１８５１）が複数のミュージック・ファイルを読み込む順序は、例えば、ミュージック・ファイルの演奏頻度又はアルバム内の曲順としうる。また、図１８Ｂでは、グループ・オブジェクト（１８３１）からミュージック・ファイル（１８１２ａ、１８１４ａ、１８１５ａ）が消去され、デスクトップ上のミュージック・ファイル（１８１２、１８１４、１８１５）のアイコンが実線に戻っている。
【０１５６】
図１８では、移動先オブジェクトが複数のミュージック・ファイルを一度に開くことが可能なミュージック・プレイヤ・ショートカット（１８０１）である場合を例として説明した。移動先オブジェクトが、再生又は閲覧型のアプリケーション（例えば、動画再生プレイヤ、画像ビューア又は電子書籍リーダ）又はそれらのショートカットである場合においても、図１８の説明において示した同様の方法で、再生するファイルを処理することが可能である。
【図１】
0005719153.tif 000002
【図２】
0005719153.tif 000003
【図３Ａ】
0005719153.tif 000004
【図３Ｂ】
0005719153.tif 000005
【図３Ｃ】
0005719153.tif 000006
【図４Ａ】
0005719153.tif 000007
【図４Ｂ】
0005719153.tif 000008
【図４Ｃ】
0005719153.tif 000009
【図４Ｄ】
0005719153.tif 000010
【図４Ｅ】
0005719153.tif 000011
【図４Ｆ】
0005719153.tif 000012
【図４Ｇ】
0005719153.tif 000013
【図５Ａ】
0005719153.tif 000014
【図５Ｂ】
0005719153.tif 000015
【図５Ｃ】
0005719153.tif 000016
【図５Ｄ】
0005719153.tif 000017
【図５Ｅ】
0005719153.tif 000018
【図５Ｆ】
0005719153.tif 000019
【図６Ａ】
0005719153.tif 000020
【図６Ｂ】
0005719153.tif 000021
【図６Ｃ】
0005719153.tif 000022
【図６Ｄ】
0005719153.tif 000023
【図７Ａ】
0005719153.tif 000024
【図７Ｂ】
0005719153.tif 000025
【図７Ｃ】
0005719153.tif 000026
【図７Ｄ】
0005719153.tif 000027
【図８Ａ】
0005719153.tif 000028
【図８Ｂ】
0005719153.tif 000029
【図８Ｃ】
0005719153.tif 000030
【図８Ｄ】
0005719153.tif 000031
【図８Ｅ】
0005719153.tif 000032
【図８Ｆ】
0005719153.tif 000033
【図８Ｇ】
0005719153.tif 000034
【図８Ｈ】
0005719153.tif 000035
【図９Ａ】
0005719153.tif 000036
【図９Ｂ】
0005719153.tif 000037
【図９Ｃ】
0005719153.tif 000038
【図１０Ａ】
0005719153.tif 000039
【図１０Ｂ】
0005719153.tif 000040
【図１０Ｃ】
0005719153.tif 000041
【図１１Ａ】
0005719153.tif 000042
【図１１Ｂ】
0005719153.tif 000043
【図１１Ｃ】
0005719153.tif 000044
【図１２Ａ】
0005719153.tif 000045
【図１２Ｂ】
0005719153.tif 000046
【図１２Ｃ】
0005719153.tif 000047
【図１２Ｄ】
0005719153.tif 000048
【図１２Ｅ】
0005719153.tif 000049
【図１３】
0005719153.tif 000050
【図１４】
0005719153.tif 000051
【図１５】
0005719153.tif 000052
【図１６】
0005719153.tif 000053
【図１７】
0005719153.tif 000054
【図１８】
0005719153.tif 000055